(57)【要約】【課題】光学ズームの特性を生かした撮影技法を用いた撮影を簡単に行うことが可能となる撮像装置、及びそのズーム制御方法を提供する。【解決手段】光学的に画角を変化させる光学ズーム手段と、電子的に画角を変化させる電子ズーム手段とを備えた構成において、画角ロック操作があったら画角ロック・モードに移行し、画角ロック・モードでは、ズーム操作に応じて光学ズーム倍率を増減させると同時に、電子ズーム倍率を画角ロック操作の直前の画角（または、直前の画角に所定の比率を乗じた画角）を維持する倍率に制御する。または、通常のズームキーとは別に他のズームキーを設けた構成とし、他のズームキーによるズーム操作に応じて前記画角ロック・モードと同様の制御を行う。主たる被写体の大きさを略同一に維持したまま、背景部分の大きさ（及びボケ度合）のみを大きく変化させることができる。【選択図】      図１１
2008022386.tif 000002
【特許請求の範囲】
【請求項１】
被写体を撮像する撮像手段を備えた撮像装置において、
光学的に画角を変化させる光学ズーム手段と、
電子的に画角を変化させる電子ズーム手段と、
使用者による第１のズーム操作に応じ、前記光学ズーム手段による光学ズーム倍率と前記電子ズーム手段による電子ズーム倍率とからなる全体ズーム倍率を増減する第１のズーム制御手段と、
使用者による第２のズーム操作に応じ前記光学ズーム倍率を増減すると同時に、前記電子ズーム倍率を、前記全体ズーム倍率が前記第１のズーム制御手段により増減された倍率に維持される電子ズーム倍率に増減する第２のズーム制御手段と
を備えたことを特徴とする撮像装置。
【請求項２】
使用者による所定の操作に応じてズームモードを第１のモード又は第２のモードに切り替え設定するモード設定手段を備え、
前記第１のズーム操作は、前記モード設定手段によりズームモードが第１のモードに設定されているときのズーム操作であるとともに、前記第２のズーム操作は、前記モード設定手段によりズームモードが第２のモードに設定されているときのズーム操作である
ことを特徴とする請求項１記載の撮像装置。
【請求項３】
使用者がズーム操作を行うための第１の操作手段及び第２の操作手段とを備え、
前記第１のズーム操作は、使用者の前記第１の操作手段によるズーム操作であるとともに、前記第２のズーム操作は、使用者の前記第２の操作手段によるズーム操作である
ことを特徴とする請求項１記載の撮像装置。
【請求項４】
前記第２のズーム制御手段は、使用者による第２のズーム操作に応じ、前記光学ズーム倍率をズーム操作量に応じた分だけ増減すると同時に、前記電子ズーム倍率を、前記全体ズーム倍率が前記第１のズーム制御手段により増減された倍率に維持される電子ズーム倍率に増減することを特徴とする請求項１又は２，３記載の撮像装置。
【請求項５】
前記ズーム操作の直前における前記全体ズーム倍率に対する所定の比率を設定する比率設定手段と、
この比率設定手段により設定される所定の比率を使用者の要求に応じ増減する比率調整手段と
を備え、
前記第２のズーム制御手段は、使用者による第２のズーム操作に応じ前記光学ズーム倍率を増減すると同時に、前記電子ズーム倍率を、前記全体ズーム倍率が前記第１のズーム制御手段により増減された倍率に対して前記比率設定手段により設定された比率を有する倍率に維持される電子ズーム倍率に増減する
ことを特徴とする請求項１乃至４いずれか記載の撮像装置。
【請求項６】
前記第２のズーム制御手段により増減される電子ズーム倍率の調整を有効とするか無効とするかを使用者の要求に応じ設定する調整設定手段を備え、
前記第２のズーム制御手段は、前記調整設定手段により前記調整が有効と設定されているとき、使用者による第２のズーム操作に応じ前記光学ズーム倍率を増減すると同時に、前記電子ズーム倍率を、前記全体ズーム倍率が前記第１のズーム制御手段により増減された倍率に対して所定の比率を有する倍率に維持される電子ズーム倍率に増減する
ことを特徴とする請求項１乃至４いずれか記載の撮像装置。
【請求項７】
前記撮像手段により撮像された被写体のスルー画像を表示する表示手段と、
この表示手段に、前記全体ズーム倍率により確保される被写体範囲をスルー画像に重ねて表示させる表示制御手段と
を備えたことを特徴とする請求項１乃至６いずれか記載の撮像装置。
【請求項８】
前記第２のズーム制御手段は、前記電子ズーム倍率を、前記全体ズーム倍率が前記第１のズーム制御手段により増減された倍率に維持される電子ズーム倍率に代えて、前記全体ズーム倍率により確保される画角が前記第１のズーム制御手段により増減された全体ズーム倍率により確保されていた画角に維持される倍率に増減することを特徴とすることを特徴とする請求項１乃至７いずれか記載の撮像装置。
【請求項９】
主要被写体までの撮影距離を取得する距離取得手段と、
前記距離取得手段により取得された撮影距離に基づき、前記第１のズーム制御手段により増減された全体ズーム倍率により確保されていた被写体範囲を取得する範囲取得手段と
を備え、
前記第２のズーム制御手段は、前記電子ズーム倍率を、前記全体ズーム倍率が前記第１のズーム制御手段により増減された倍率に維持される電子ズーム倍率に代えて、前記全体ズーム倍率により確保される被写体範囲が前記範囲取得手段により取得されていた被写体範囲に維持される倍率に増減することを特徴とする請求項１乃至７いずれか記載の撮像装置。
【請求項１０】
前記第１のズーム制御手段は、使用者による第１のズーム操作に応じ、前記全体ズーム倍率が最小倍率を含む低倍率側にある間には、前記光学ズーム倍率または前記電子ズーム倍率のいずれか一方を優先して制御し、かつ前記全体ズーム倍率が最大倍率を含む高倍率側にある間には、前記光学ズーム倍率または前記電子ズーム倍率のいずれか他方を優先して制御することにより、前記全体ズーム倍率を増減することを特徴とする請求項１乃至９いずれか記載の撮像装置。
【請求項１１】
前記電子ズーム手段は、
前記撮像手段により撮像される画像に所定の画像サイズの選択領域を設定する領域設定手段と、
この領域設定手段により設定された選択領域における垂直方向及び／又は水平方向の所定の画素数分の画素値を加算する画素加算手段と、
前記領域設定手段により設定される前記選択領域の画像サイズを、前記ズーム制御手段により制御された電子ズーム倍率に基づき制御する領域制御手段と、
前記画素加算手段により加算される画素値の画素加算数を、前記ズーム制御手段により制御された電子ズーム倍率に基づき制御する加算数制御手段と
を含むことを特徴とする請求項１乃至１０いずれか記載の撮像装置。
【請求項１２】
被写体を撮像する撮像手段と、光学的に画角を変化させる光学ズーム手段と、電子的に画角を変化させる電子ズーム手段とを備えた撮像装置におけるズーム制御方法であって、
使用者による第１のズーム操作に応じ、前記光学ズーム手段による光学ズーム倍率と前記電子ズーム手段による電子ズーム倍率とからなる全体ズーム倍率を増減する第１の工程と、
使用者による第２のズーム操作に応じ前記光学ズーム倍率を増減すると同時に、前記電子ズーム倍率を、前記全体ズーム倍率が前記第１の工程で増減された倍率に維持される電子ズーム倍率に増減する第２の工程と
を含むことを特徴とするズーム制御方法。
【請求項１３】
被写体を撮像する撮像手段と、光学的に画角を変化させる光学ズーム手段と、電子的に画角を変化させる電子ズーム手段とを備えた撮像装置が有するコンピュータを、
使用者による第１のズーム操作に応じ、前記光学ズーム手段による光学ズーム倍率と前記電子ズーム手段による電子ズーム倍率とからなる全体ズーム倍率を増減する第１のズーム制御手段と、
使用者による第２のズーム操作に応じ前記光学ズーム倍率を増減すると同時に、前記電子ズーム倍率を、前記全体ズーム倍率が前記第１のズーム制御手段により増減された倍率に維持される電子ズーム倍率に増減する第２のズーム制御手段と
して機能させるためのプログラム。
【請求項１４】
被写体を撮像する撮像手段を備えた撮像装置において、
光学的に画角を変化させる光学ズーム手段と、
電子的に画角を変化させる電子ズーム手段と、
前記光学ズーム倍率を自動的に連続して変化させるとともに、その間の前記電子ズーム倍率を、前記光学ズーム手段による光学ズーム倍率と前記電子ズーム手段による電子ズーム倍率とからなる全体ズーム倍率が前記光学ズーム倍率の変化開始直前の倍率に維持される電子ズーム倍率に増減するズーム制御手段と
を備えたことを特徴とする撮像装置。
【発明の詳細な説明】
【技術分野】
【０００１】
本発明は、光学ズームと電子ズームとを備えた撮像装置、及びそのズーム制御方法に関するものである。
【背景技術】
【０００２】
従来、デジタルカメラ、デジタルビデオカメラ等の撮像装置においては、光学的に画像を拡大する光学ズームと電子的に画像を拡大する電子ズーム（デジタルズーム）が用いられている（例えば下記特許文献１参照）。
【０００３】
ここで、光学ズームを使用する場合、広角側では、近くからでも対象物を小さくして広い範囲が写せるほか、広大な風景の遠近感（パースペクティブ）の強調やデフォルメをした撮影ができる。また、被写界深度が広くなるため、近景から遠景まで広い範囲にピントを合わせる描写ができる。逆に、望遠側では、遠くからでも被写体を大きく写せるほか、近景と遠景の大きさの差が少なくなって密集感が増し、パースペクティブが少なくなる「遠近感の圧縮効果」が得られる。また、絞り量にもよるが、被写界深度が狭くなるため、背景のボケを大きくして、主要な被写体を背景から浮かび上がらせるような描写ができる。
【０００４】
一方、光学ズームによる遠近感の強調や圧縮といった撮影技法は、映画の撮影においても多用されている。例えば、英国のヒッチコック（Alfred Hitchcock）監督の映画「Ｖｅｒｔｉｇｏ」（邦題：『めまい』、１９５８年）の中では、高所恐怖症の主人公が螺旋階段を登るシーンで、見下ろした螺旋階段がストーンと落下するような映像を挿入し、クラクラするような「めまい」の感覚を表現している。図１９は、その「めまいカット」のシーンを示したものである。
【０００５】
前記撮影技法を用いた撮影は、図２０（ａ）、同図（ｂ）に示したように、Ｔｒａｃｋ（レール）やＤｏｌｌｙ（カメラの台車）等を利用して、カメラを同時にトラックアップ（前進移動）させながら、急にズームアウトさせて（一般には、トラックバック（後進）＆ズームインさせて）行われている。つまり、急激なズーム・アウト（またはズーム・イン）により遠近感を変化させるとともに、前景の被写体の位置や画角、被写体範囲が一致するように、同時にカメラを前進（または後進）させて撮影距離を変えながら撮影が行われる。なお、前記「めまいカット」は、図２０（ｃ）に示したように、実際にはミニチュア模型で撮影されたと言われている。
【特許文献１】特開平５−１９１７０３号公報
【発明の開示】
【発明が解決しようとする課題】
【０００６】
ところで、前述したような光学ズームの特性を生かした撮影技法（「Ｔｒａｃｋｕｐ ＆ Ｚｏｏｍｏｕｔ」）では、撮影中に同じ画角範囲をピッタリ維持しながら移動したり、移動しながら手ブレなくズーム操作を行ったりすることが不可欠であり、また大がかりな準備も必要となる。係ることから、デジタルカメラ等に光学ズームが設けられていたとしても、ユーザが動画撮影を行うとき（特に手持ち撮影時）においては、上記撮影技法を用いることは極めて困難であった。
【０００７】
本発明は、かかる従来の課題に鑑みてなされたものであり、光学ズームの特性を生かした撮影技法を用いた撮影を簡単に行うことが可能となる撮像装置、及びそのズーム制御方法と、それらの実現に使用するプログラムを提供することを目的とする。
【課題を解決するための手段】
【０００８】
前記課題を解決するため請求項１の発明にあっては、被写体を撮像する撮像手段を備えた撮像装置において、光学的に画角を変化させる光学ズーム手段と、電子的に画角を変化させる電子ズーム手段と、使用者による第１のズーム操作に応じ、前記光学ズーム手段による光学ズーム倍率と前記電子ズーム手段による電子ズーム倍率とからなる全体ズーム倍率を増減する第１のズーム制御手段と、使用者による第２のズーム操作に応じ前記光学ズーム倍率を増減すると同時に、前記電子ズーム倍率を、前記全体ズーム倍率が前記第１のズーム制御手段により増減された倍率に維持される電子ズーム倍率に増減する第２のズーム制御手段とを備えたものとした。
【０００９】
また、請求項２の発明にあっては、使用者による所定の操作に応じてズームモードを第１のモード又は第２のモードに切り替え設定するモード設定手段を備え、前記第１のズーム操作は、前記モード設定手段によりズームモードが第１のモードに設定されているときのズーム操作であるとともに、前記第２のズーム操作は、前記モード設定手段によりズームモードが第２のモードに設定されているときのズーム操作であるものとした。
【００１０】
また、請求項３の発明にあっては、使用者がズーム操作を行うための第１の操作手段及び第２の操作手段とを備え、前記第１のズーム操作は、使用者の前記第１の操作手段によるズーム操作であるとともに、前記第２のズーム操作は、使用者の前記第２の操作手段によるズーム操作であるものとした。
【００１１】
また、請求項４の発明にあっては、前記第２のズーム制御手段は、使用者による第２のズーム操作に応じ、前記光学ズーム倍率をズーム操作量に応じた分だけ増減すると同時に、前記電子ズーム倍率を、前記全体ズーム倍率が前記第１のズーム制御手段により増減された倍率に維持される電子ズーム倍率に増減するものとした。
【００１２】
また、請求項５の発明にあっては、前記ズーム操作の直前における前記全体ズーム倍率に対する所定の比率を設定する比率設定手段と、この比率設定手段により設定される所定の比率を使用者の要求に応じ増減する比率調整手段とを備え、前記第２のズーム制御手段は、使用者による第２のズーム操作に応じ前記光学ズーム倍率を増減すると同時に、前記電子ズーム倍率を、前記全体ズーム倍率が前記第１のズーム制御手段により増減された倍率に対して前記比率設定手段により設定された比率を有する倍率に維持される電子ズーム倍率に増減するものとした。
【００１３】
また、請求項６の発明にあっては、前記第２のズーム制御手段により増減される電子ズーム倍率の調整を有効とするか無効とするかを使用者の要求に応じ設定する調整設定手段を備え、前記第２のズーム制御手段は、前記調整設定手段により前記調整が有効と設定されているとき、使用者による第２のズーム操作に応じ前記光学ズーム倍率を増減すると同時に、前記電子ズーム倍率を、前記全体ズーム倍率が前記第１のズーム制御手段により増減された倍率に対して所定の比率を有する倍率に維持される電子ズーム倍率に増減するものとした。
【００１４】
また、請求項７の発明にあっては、前記撮像手段により撮像された被写体のスルー画像を表示する表示手段と、この表示手段に、前記全体ズーム倍率により確保される被写体範囲をスルー画像に重ねて表示させる表示制御手段とを備えたものとした。
【００１５】
また、請求項８の発明にあっては、前記第２のズーム制御手段は、前記電子ズーム倍率を、前記全体ズーム倍率が前記第１のズーム制御手段により増減された倍率に維持される電子ズーム倍率に代えて、前記全体ズーム倍率により確保される画角が前記第１のズーム制御手段により増減された全体ズーム倍率により確保されていた画角に維持される倍率に増減するものとした。
【００１６】
また、請求項９の発明にあっては、主要被写体までの撮影距離を取得する距離取得手段と、前記距離取得手段により取得された撮影距離に基づき、前記第１のズーム制御手段により増減された全体ズーム倍率により確保されていた被写体範囲を取得する範囲取得手段とを備え、前記第２のズーム制御手段は、前記電子ズーム倍率を、前記全体ズーム倍率が前記第１のズーム制御手段により増減された倍率に維持される電子ズーム倍率に代えて、前記全体ズーム倍率により確保される被写体範囲が前記範囲取得手段により取得されていた被写体範囲に維持される倍率に増減するものとした。
【００１７】
また、請求項１０の発明にあっては、前記第１のズーム制御手段は、使用者による第１のズーム操作に応じ、前記全体ズーム倍率が最小倍率を含む低倍率側にある間には、前記光学ズーム倍率または前記電子ズーム倍率のいずれか一方を優先して制御し、かつ前記全体ズーム倍率が最大倍率を含む高倍率側にある間には、前記光学ズーム倍率または前記電子ズーム倍率のいずれか他方を優先して制御することにより、前記全体ズーム倍率を増減するものとした。
【００１８】
また、請求項１１の発明にあっては、前記電子ズーム手段は、前記撮像手段により撮像される画像に所定の画像サイズの選択領域を設定する領域設定手段と、この領域設定手段により設定された選択領域における垂直方向及び／又は水平方向の所定の画素数分の画素値を加算する画素加算手段と、前記領域設定手段により設定される前記選択領域の画像サイズを、前記ズーム制御手段により制御された電子ズーム倍率に基づき制御する領域制御手段と、前記画素加算手段により加算される画素値の画素加算数を、前記ズーム制御手段により制御された電子ズーム倍率に基づき制御する加算数制御手段とを含むものとした。
【００１９】
また、請求項１２の発明にあっては、被写体を撮像する撮像手段と、光学的に画角を変化させる光学ズーム手段と、電子的に画角を変化させる電子ズーム手段とを備えた撮像装置におけるズーム制御方法であって、使用者による第１のズーム操作に応じ、前記光学ズーム手段による光学ズーム倍率と前記電子ズーム手段による電子ズーム倍率とからなる全体ズーム倍率を増減する第１の工程と、使用者による第２のズーム操作に応じ前記光学ズーム倍率を増減すると同時に、前記電子ズーム倍率を、前記全体ズーム倍率が前記第１の工程で増減された倍率に維持される電子ズーム倍率に増減する第２の工程とを含む方法とした。
【００２０】
また、請求項１３の発明にあっては、被写体を撮像する撮像手段と、光学的に画角を変化させる光学ズーム手段と、電子的に画角を変化させる電子ズーム手段とを備えた撮像装置が有するコンピュータを、使用者による第１のズーム操作に応じ、前記光学ズーム手段による光学ズーム倍率と前記電子ズーム手段による電子ズーム倍率とからなる全体ズーム倍率を増減する第１のズーム制御手段と、使用者による第２のズーム操作に応じ前記光学ズーム倍率を増減すると同時に、前記電子ズーム倍率を、前記全体ズーム倍率が前記第１のズーム制御手段により増減された倍率に維持される電子ズーム倍率に増減する第２のズーム制御手段として機能させるためのプログラムとした。
【００２１】
また、請求項１４の発明にあっては、被写体を撮像する撮像手段を備えた撮像装置において、光学的に画角を変化させる光学ズーム手段と、電子的に画角を変化させる電子ズーム手段と、前記光学ズーム倍率を自動的に連続して変化させるとともに、その間の前記電子ズーム倍率を、前記光学ズーム手段による光学ズーム倍率と前記電子ズーム手段による電子ズーム倍率とからなる全体ズーム倍率が前記光学ズーム倍率の変化開始直前の倍率に維持される電子ズーム倍率に増減するズーム制御手段とを備えたものとした。
【発明の効果】
【００２２】
本発明によれば、光学ズームの特性を生かした撮影技法を用いた撮影を簡単に行うことが可能となる。
【発明を実施するための最良の形態】
【００２３】
以下、本発明の一実施の形態を図にしたがって説明する。本実施の形態は、光学ズーム機能と電子ズーム（以下、デジタルズーム）機能とを備えたデジタルカメラに関するものである。
（実施形態１）
【００２４】
図１は、本実施の形態におけるデジタルカメラの全体構成を示すブロック図である。図に示すように、デジタルカメラは、撮影光学系１と、撮影光学系１により結像された被写体の光学像を電気信号に変換するイメージセンサ２、イメージセンサ２から出力された撮像信号を処理するＤＳＰ（Digital Signal Processor、デジタル信号処理回路）３を有している。
【００２５】
前記撮影光学系１は、光軸上に配置された焦点レンズ５、ズームレンズ６、絞り７、メカニカルシャッタ８から構成され、各々が、制御回路１０から送られる制御信号に従いドライバブロック９における各駆動回路（図で焦点レンズ駆動やズームレンズ駆動等）が生成する駆動信号によって適宜駆動される。
【００２６】
制御回路１０は、主としてＣＰＵ１１と、ＣＰＵ１１にデータバス１２を介してそれぞれ接続されたインタフェース１３、音声入出力回路１４、入力回路１５、メモリカード・インタフェース１６、ＵＳＢコントローラ１７、ハードディスク・インタフェース１８といった周辺回路から構成されている。
【００２７】
前記ＤＳＰ３は制御回路１０に接続され、また画像データバス１９を介して前記インタフェース１３にも接続されており、ＣＰＵ１１によって制御される。前記インタフェース１３には、画像データバス１９を介してバッファメモリ２０と、画像ＣＯＤＥＣ（Coder & Decoder、符号器／復号器）２１、動画像ＣＯＤＥＣ２２、表示駆動回路２３が接続され、表示駆動回路２３にＬＣＤ（液晶表示器）２４が接続されている。また、前記制御回路１０内のデータバス１２には、音声ＣＯＤＥＣ（Coder & Decoder、符号器／復号器）２７、プログラム・メモリ２８、不揮発性の内蔵メモリであるデータ・メモリ２９が接続されている。
【００２８】
前記ＤＳＰ３によって処理された画像データはバッファメモリ２０に順次記憶されるとともに、表示駆動回路２３によってＬＣＤ２４にスルー画像として表示される。
【００２９】
そして、静止画撮影時に前記ＤＳＰ３によって処理された画像データは、画像ＣＯＤＥＣ２１によってＪＰＥＧ規格等に準じた圧縮符号化画像データ、もしくはＲＡＷデータなど非圧縮の符号化画像データなどに符号化される。符号化された画像データは、ＥＸＩＦ、ＪＰＥＧなどのファイル形式で前記データ・メモリ２９に記録されたり、前記メモリカード・インタフェース１６を介してフラッシュメモリカードなどの着脱自在な画像メモリ媒体２５に記録されるか、前記ハードディスク・インタフェース１８を介して小型のＨＤＤ（Hard Disk Drive：ハードディスク記録装置）２６に記録される。
【００３０】
また、動画撮影時に前記ＤＳＰ３によって処理された画像データは、動画像ＣＯＤＥＣ２２によってＭＰＥＧ４やＨ．２６４／ＡＶＣなどの圧縮符号化方式で圧縮符号化され、ＡＶＩやＭＰ４などのファイル形式で前記データ・メモリ２９や画像メモリ媒体２５又はＨＤＤ２６に記録され、画像メモリ媒体２５等に記録された静止画像や動画像は、画像ＣＯＤＥＣ２１や動画像ＣＯＤＥＣ２２によって復号された後、ＬＣＤ２４に画面表示される。
【００３１】
前記音声ＣＯＤＥＣ２７は、ＭＩＣ３０から入力し、アンプ３１、Ａ／Ｄ変換器３２を経て前記音声入出力回路１４に入力した音声データを符号化する。音声ＣＯＤＥＣ２７により符号化された音声データは、例えば音声付きの動画撮影時においては、動画像ＣＯＤＥＣ２２により圧縮符号化された動画データと重畳されて動画ファイルとして記録される。また、前記音声ＣＯＤＥＣ２７は、音声付きの動画像の再生時には、動画データに重畳されている音声データを復号する。復号された音声データは、音声入出力回路１４、Ｄ／Ａ変換器３３、アンプ３４、スピーカ３５を介して出力される。
【００３２】
前記ＵＳＢコントローラ１７にはＵＳＢ端子３６が接続されており、記録された静止画像や動画像の画像データファイルは、画像メモリ媒体２５とは別にＵＳＢなど外部入出力インタフェースを介して、必要に応じてＰＣ（パーソナル・コンピュータ）やプリンタに転送可能となっている。なお、転送した画像データファイルは、ＰＣ内の大容量ＨＤＤ装置に蓄積記録されたり、さらにはＣＤ−ＲやＤＶＤなどディスク媒体等に保存記録されたり、あるいは、ＰＣ内の画像編集ソフトなどを用いて撮影画像や録画済みの映像を編集されたり、モニターに再生表示されたり、プリンタで印刷されたりする。
【００３３】
前記入力回路１５には操作入力部３７が接続されている。操作入力部３６は電源キーと、静止画撮影モード、動画撮影モード、再生モードの動作モードの切り替えを行う動作モード切替キー、ＭＥＮＵキー、レリーズ（シャッター）ボタン、ズームキー等の複数の操作キー、ユーザが変更可能な各種機能における設定内容の選択や変更等に使用されるカーソルキーを含み、ユーザによるキー操作に応じたキー入力信号を生成する。生成されたキー入力信号は、入力回路１５を介してＣＰＵ１１に出力される。
【００３４】
また、本実施の形態において、前記操作入力部３６には、ユーザがズームキーの操作によってズーム倍率を変化させる間に、後述するように画角を固定（ロック）したり、画角の固定を解除（ロック解除）したりすることを可能とするための画角ロックボタンが含まれている。なお、レリーズボタンは、半押しと全押しの２段階操作が可能な所謂ハーフシャッター機能を有するとともに、動画撮影時には録画開始／終了ボタンとしても機能する。
【００３５】
また、前記制御回路１０には、ＣＰＵ１１の指令に基づきストロボ（キセノン管等の発光管）３８を駆動するためのストロボ駆動回路３９と、被写体の明るさを検出するための測光センサや被写体までの距離を計測するための測距センサを含むセンサ回路４０から出力される各センサの検出信号を処理しＣＰＵ１１へ出力する検出回路４１が接続されている。さらに、制御回路１０には、ニッケル水素電池等の充電可能な電池４２の電力を各部に供給するための電源制御回路４３が接続されている。
【００３６】
前記プログラム・メモリ２８には、ＣＰＵ１１に前述した各部を制御させるための各種プログラム（ＡＥ、ＡＦ、ＡＷＢ等の制御用プログラムを含む）、及びＣＰＵ１１が使用する各種データが格納されている。特に、ＣＰＵ１１を本発明の第１のズーム制御手段、第２のズーム制御手段、モード設定手段、設定手段、調整設定手段、表示制御手段、領域設定、領域制御手段、加算数制御手段として機能させ、ＣＰＵ１１に後述する制御を行わせるためのプログラムが格納されている。
【００３７】
また、前記データ・メモリ２９には、前述した静止画像や動画像の画像データファイル以外にも、デジタルカメラの動作を規定するとともに、必要に応じてユーザにより変更または設定された各種の設定データが保持されている。さらにデータ・メモリ２９は、ＣＰＵ１１の作業用メモリとしても使用される。
【００３８】
・イメージセンサ
図２は、前述した撮像部２、ＤＳＰ３の詳細を示したシステム構成図、図３は、前記イメージセンサ２の詳細を示した回路図である。
イメージセンサ２は、主として感光部２０１と、垂直走査回路２０２、タイミング発生回路２０３、ＣＤＳ／ＡＤＣ回路（図でＣＤＳ／ＡＤ変換）２０４、デジタル画素加算回路２０６、デジタル信号読出し回路２０７、水平走査回路２０８、並列／直列変換回路（Ｐ／Ｓ）２０９から構成される。
【００３９】
本実施の形態のイメージセンサ２は、ＣＭＯＳ（Complementary Meta1 0xide Semiconductor：相補型金属酸化膜半導体）イメージセンサであり、より詳しくは一般的なＡＰＳ（Active Pixel Sensor：増幅型画素センサ）型である。
【００４０】
前記感光部２０１は、図４（ａ）に示したように、フォトダイオード２５１を含む単位画素回路２５２からなり、単位画素回路２５２毎にＦＤ（Floating Dihsion）アンプ２５３を内蔵することにより、暗電流とｋＴＣ雑音を低減できるようにした構成である。
【００４１】
図４（ｂ）は上記の単位画素回路２５２の構造図、同図（ｃ）は単位画素回路２５２の動作を示した図である。前記フォトダイオード２５１で光電変換された信号電荷はＦＤ（Floating Dihsion）アンプ２５３で一旦増幅され、垂直走査回路２０２からの行アドレス選択信号と水平走査回路２０８からの列選択信号によりＸＹアドレス方式で選択された画素毎の撮像信号が、出力から順次電圧または電流として取り出される。つまり、ＣＣＤ（Charge Coupled Device：電荷結合素子）のように順番に取り出さなくとも、任意の画素や領域の撮像信号だけを、任意の順序で取り出すことができ、これにより後述するようにデジタルズーム処理で所定領域のみを切り出して読み出す場合には、撮像信号を高速で読み出せるようになっている。
【００４２】
前記デジタル画素加算回路２０６は、各画素に隣接する同色（フィルタ）の複数の画素の撮像信号同士をデジタル信号で加算する回路（本発明の画素加算手段）であり、デジタルズーム時に、選択領域内の画素データを任意の行列毎に所定の複数画素分加算された撮像信号の読出しが可能であるとともに、スルー画像や動画撮影において、高速レートでも、画像データ量の小さい撮像信号に変換して出力できるようになっている。
【００４３】
前述したように選択読出しされた選択領域の撮像信号、さらに画素加算された撮像信号は、列回路（図３に破線で示した部分）のＣＤＳ／ＡＤＣ回路２０４、すなわちＣＤＳ回路（Correlated Double Sampling：相関二重サンプル回路）２０４ａ、及びＡ／Ｄ変換回路２０４ｂから水平走査回路２０８の列選択信号により選択され列信号として順次出力され、並列／直列変換回路２０９によって直列のデジタル撮像信号に変換された後、ＤＳＰ３に高速フレームレートで転送出力される。
【００４４】
なお、ＣＤＳ／ＡＤＣ回路２０４、デジタル画素加算回路２０６は列信号線毎に並列に並んだ前記列回路にそれぞれ設けられており、これによりフォトダイオード２５１をリセットする前と後の信号を減算して固定パターンノイズを除去できるとともに、デジタル信号での撮像信号の出力が容易となっている。なお、Ａ／Ｄ変換回路２０４ｂには積分型や巡回型、逐次型などが使用できる。
【００４５】
図５は、ＣＤＳ／ＡＤＣ回路２０４及びデジタル画素加算回路２０６の具体的構成を示した回路図である。並列に並んだ列回路に設けるＣＤＳ／ＡＤＣ回路２０４には、各種の方式が開発されているが、本実施の形態では、いわゆる、「Ｃｏｌｕｍｎ ＡＤＣ方式」のＣＤＳ／ＡＤＣ回路を用いて、列毎に並列処理するＡ／Ｄ変換器２０４ｂにより、画素の固定パターンノイズ（ＦＰＮ）を抑圧しながらデジタル信号に変換する。Ｃｏｌｕｍｎ ＡＤＣ方式のＣＤＳ回路２０４ａでは、固定パターンノイズを抑圧するために、粗精度と高精度の２段階のクランプ（Ｃｌａｍｐ）回路を用いる。クランプは、信号のあるレベルを基準電圧に置き換える動作で、クランプ回路は例えば、キャパシタとスイッチで構成され、キャパシタの出力側がスイッチにより基準電圧にセットされる。
【００４６】
図６に示した信号読み出し時の動作タイミングチャートにあるように、まず、列回路のＡ１とＡ２のクランプスイッチＳ１、Ｓ２を同時に閉じてから、Ｓ１を先に開くと、点Ｖｉｎの電圧が、Ａ１の閾値電圧にＳ１スイッチングのバラツキが加算された電圧に粗い精度でクランプされるが、Ｓ２は閉じたままなので、その電圧がＡ２入力の閾値電圧になる。
【００４７】
その後、Ｓ２を開くと、Ａ２にもスイッチングのバラツキを含む電圧がクランプされ、クランプ動作が完了する。Ｓ２スイッチングのバラツキ成分はＡ２の利得で割った分かＶｉｎ側のバラツキに還元されるので、Ｖｉｎ側から見るとクランプ精度が向上して、クランプ回路で発生する縦筋状の固定パターンノイズ（ＦＰＮ）の発生が抑えられる。
【００４８】
次に、行読出し線（転送ゲート線ＴＧ）にパルスが立ち上がると、画素信号が列信号線に現れるので、スイッチＳ４を閉じてサンプリングする。サンプリング完了後、スイッチＳＳを開いて、ランプ波形（順次電圧が上昇する階段状波形）をしたＡ／Ｄ変換用の基準信号をスイッチＳ４から加えると、ランプ波形に応じてＶｉｎの電圧がやがてクランプ回路の閾値を越えてＡ２の出力が反転し、反転する電圧までの１０ビットカウンタの値がデジタルの画素信号値としてラッチに記憶され、Ａ／Ｄ変換処理が終了する。
【００４９】
また、画素加算については、図５に示したように、前記ＣＤＳ／ＡＤＣ回路２０４を含む列回路の後に、列加算回路（垂直加算回路）などのデジタル演算回路２０６ａを設け、行アドレス選択された画素の信号を列信号線から読み出し、ＣＤＳ／ＡＤＣ回路２０４でノイズ除去されデジタル変換されたデジタル並列信号を、タイミング信号でラッチ回路にラッチし、同じく選択された同じ列で異なる行の画素のデジタル並列信号を、同様に別のタイミング信号で別のラッチ回路にラッチして、ラッチ回路の出力同士をデジタル演算回路２０６ａ（列加算回路）でデジタル加算する。
【００５０】
また、水平信号線からの信号出力部に、行加算回路（水平加算回路）などのデジタル演算回路２０６ｂを設け、列加算された信号同士をタイミング信号で選択して水平信号線に読み出し、ラッチ回路にラッチして、ラッチ回路の出力同士をデジタル演算回路２０６ｂ（行加算回路）でデジタル加算する。
【００５１】
カラー撮像の場合には、例えば、Ｂａｙｅｒ配列等の千鳥状に２画素周期で交互に並んだＲＧＢ各色カラーフィルタに対応する各画素から、列方向に（一つ飛ばしで）隣接する同色フィルタの画素同士を、Ｒ画素はＲ画素同士で、Ｇ画素はＧ画素同士で、Ｂ画素はＢ画素同士で、列方向に複数加算し、また、行方向に（一つ飛ばしで）隣接する同色フィルタの値数の画素を行方向に加算して読み出すことで同色の画素の信号同士が複数画素分加算できる。
【００５２】
また、加算された撮像信号のデジタル信号は所定の符号化を行うとともに、並列／直列変換回路で順次シリアル（直列）のデジタル信号に変換されて出力され、ＤＳＰ３に転送される。
【００５３】
・ＤＳＰ（デジタル信号処理回路）
前記ＤＳＰ３は、イメージセンサ２から出力されたシリアル（直列）の撮像信号が入力する直列／並列変換回路（Ｓ／Ｐ）３０１と、バッファメモリ３０２、ＷＢ／カラー補正回路３０３、リサイズ／補間処理回路３０４、カラー補間回路３０５、輪郭補正回路３０６、ガンマ補正回路３０７、カラーマトリクス回路３０８から構成されている。
【００５４】
イメージセンサ２からＤＳＰ３に入力した撮像信号は直列／並列変換回路（Ｓ／Ｐ）３０１によりパラレル（並列）のデジタル信号に変換され、バッファメモリ３０２にフレーム毎に画像データとして蓄積され、蓄積された画像データは、ＷＢ／カラー補正回路３０３によってホワイトバランス調整やカラーバランス調整を行われる。係る段階の画像データは、撮像素子の前面に設けられ、モザイク状の「ベイヤー（Ｂａｙｅｒ）配列」や、水平／垂直に２画素単位の繰り返し周期で千鳥配列されたＧｒｅｅｎ市松Ｒ／Ｂ色差線順次方式など、ＲＧＢ原色フィルタなどカラーフィルタ配列にしたがって、画素毎には一つの色成分しか持たないが、カラー補間回路３０５により、他の色差成分の画素値が、近隣周辺の画素値から画素補間（Pixel Signal lnterpolation）して求められ（カラー補間処理）、各画素毎にＲＧＢ各色差成分毎の階調値を持つデジタル画像データに変換される。
【００５５】
また、上記カラー補間を行う前には、必要に応じて、リサイズ／補間処理回路３０４が、撮像画像サイズを異なる画像サイズに変換する解像度変換処理（Resolution Conversion）を行う。例えば、スルー画像や再生画像をファインダやモニタに表示する為に表示駆動回路２３内の表示メモリ（Ｖｉｄｅｏ  ＲＡＭでもよい）２３ａに書き込む為に、所定の画像サイズ（ＶＧＡサイズなど）に変換するリサイズ（Resize）、もしくは、補間処理（lnterpolation）を行う。
【００５６】
あるいは、撮影記録時に、所望の記録画像サイズで記録する為に、設定記録画像サイズの画像に縮小／拡大処理や、リサイズ／補間処理もしくは解像度変換処理を行う。リサイズや補間処理を行った場合に、画像がぼけたり解像感が落ちたりしやすいので、合わせて、各種のアンシャープネス・フィルタ（Unsharpness Filtering）など輪郭強調フィルタ演算や画像鮮鋭化フィルタ処理なども行う。
【００５７】
さらに、ＤＳＰ３では、ガンマ補正回路３０７により階調補正されたＲＧＢ系のデジタル画像信号は前述したバッファメモリ２０に一時記憶された後、ＬＣＤ２４など電子ファインダに再生表示されるか、カラーマトリクス回路３０８でＲＧＢ系からＹＵＶ系／ＹＣｂＣｒ系など所定の色空間の画像信号に変換され、前述した画像ＣＯＤＥＣ２１や動画像ＣＯＤＥＣ２２により、ＪＰＥＧ静止画像データやＭＰＥＧ４やＨ．２６４動画像データなどに圧縮／符号化処理される。
【００５８】
そして、スルー画像や再生画像を前記ＬＣＤ２４に表示する場合には、前記表示駆動回路２３は、その表示メモリ２３ａに所定サイズで更新書き込みされた画像データを定期的に繰り返し読み出してＬＣＤ２４に繰り返し更新表示される。
【００５９】
一方、前記リサイズ／補間処理回路３０４では、単に間引き（Decimation）や平均化を行うとギザギザやデジタルノイズ、偽信号が発生したり画質が劣化しやすいので、「最近傍法」（各画素値をその最も近い近傍の画素の画素値から求める）や「線形補間法」（周りの４〜８画素の周囲画像や６４画素など近傍の画素値から求める）などを用いて、各画素をその周辺近傍の画素から補間演算したり、幾何学変換処理したりする二次元フィルタ演算処理を行う。
【００６０】
以下に、上述した構成からなるデジタルカメラの本発明に係る動作を説明する。図７は、動画撮影モードが設定されているときのＣＰＵ１１による制御（動画撮影制御）の内容を示すフローチャートである。
【００６１】
動画撮影モードが設定されているときＣＰＵ１１は、動画撮影中であるか否かを随時判別している（ステップＳＡ１）。ここで動画撮影モードの設定直後や録画停止中であったときには（ステップＳＡ１でＮＯ）、イメージセンサ２により撮像可能な最大画像サイズである撮像フル画像サイズ（ＸＦ、ＹＦ）と表示メモリ２３ａの書込み画像サイズ（Ｘｄ、Ｙｄ）とに応じて、(画質劣化しない)デジタルズーム倍率（ＤＺ）の限度（ＤＺmax）を設定する（ステップＳＡ２）。また、動画撮影中であれば（ステップＳＡ１でＹＥＳ）、撮像フル画像サイズ（ＸＦ、ＹＦ）と、その時点で設定されている動画像の記録画像サイズ（ＸＲ、ＹＲ）に応じて、(画質劣化しない)デジタルズーム倍率（ＤＺ）の限度（ＤＺmax）を設定する（ステップＳＡ３）。なお、ここで設定される限度（ＤＺmax）は、後述するステップＳＡ１０，ＳＡ１１のデジタルズーム処理（１）、（２）で使用されるパラメータである。
【００６２】
引き続き、測光処理及びホワイトバランス調整処理を行い（ステップＳＡ４）、視野（撮像範囲）の中央をデジタルズームの中央位置に設定する（ステップＳＡ５）。なお、設定した中央位置はデータ・メモリ２９に記憶する。その後、図８に示したズーム設定処理に移行し、係る処理において、ズームモード（通常ズーム・モード、又は画角ロック・モード）の設定や、ユーザのズーム操作（ズーム・イン／アウト操作）に応じた光学ズーム倍率（ＯｐＺ）とデジタルズーム倍率（ＤＺ）の設定を行う（ステップＳＡ６）。なお、詳細については後述する。
【００６３】
次に、上記ズーム設定処理で設定した上記の光学ズーム倍率（ＯｐＺ）に従いズームレンズ６を駆動する光学ズーム処理を行った後（ステップＳＡ７）、視野中央をフォーカス検出領域とし、被写体距離に応じて焦点レンズ５を駆動するＡＦ処理を行う（ステップＳＡ８）。
【００６４】
そして、録画停止中には（ステップＳＡ９でＮＯ）、図９に示したデジタルズーム処理（１）へ移行し、上記ズーム設定処理で設定したデジタルズーム倍率（ＤＺ）に基づき、前述したイメージセンサ（ＣＭＯＳイメージセンサ）２の領域選択読出し機能、および画素加算機能を用いた画像データの読み出しを行い、前記表示メモリ２３ａの書込み画像サイズ（Ｘｄ、Ｙｄ）以上の画像サイズ（Ｘ’，Ｙ’）の画像データを取得する（ステップＳＡ１０）。なお、詳細については後述する。
【００６５】
その後、直ちにステップＳＡ１３へ進み、上記デジタルズーム処理（１）で取得した画像データに対し、撮像画像サイズ（Ｘ’，Ｙ’）と、表示メモリ２３ａの書込みサイズ（Ｘｄ，Ｙｄ）に応じたリサイズ率（ＩＰｘ＝Ｘｄ／Ｘ’、ＩＰｙ＝Ｙｄ／Ｙ’）でのリサイズ／補間処理を行いスルー画像用の画像データを取得する。しかる後、取得した画像データに基づくスルー画像をＬＣＤ２４に表示させるとともに、ズーム倍率や、後述する画角のロック範囲（必要時のみ）をスルー画像に重ねて表示させる（ステップＳＡ１４）。なお、ズーム倍率や画角のロック範囲の表示は、例えばＯＳＤ表示によって行う。
【００６６】
また、ステップＳＡ９の判別結果がＹＥＳであって動画撮影中である場合には、図１０な示したデジタルズーム処理（２）へ移行し、ズーム設定処理で設定したデジタルズーム倍率（ＤＺ）に基づき、前述したイメージセンサ（ＣＭＯＳイメージセンサ）２の領域選択読出し機能、および画素加算機能を用いた画像データの読み出しを行い、そのとき設定されている記録画像サイズ（ＸＲ，ＹＲ）と等しい画像サイズ（Ｘ’，Ｙ’）の画像データを取得する（ステップＳＡ１１）。なお、詳細については後述する。
【００６７】
その後、上記デジタルズーム処理（２）で取得した画像データ（リサイズ／補間処理前の画像データ）を動画像ＣＯＤＥＣ２２に出力して圧縮符号化し、符号化後の動画データをデータ・メモリ２９や画像メモリ媒体２５等に記録した後（ステップＳＡ１２）、前述したリサイズ／補間処理（ステップＳＡ１３）、スルー画像や、ズーム倍率、画角のロック範囲の表示処理（ステップＳＡ１４）を行う。
【００６８】
しかる後、必要に応じてユーザのキー操作に応じたその他のキー処理（録画の開始／停止／終了など）を行った後（ステップＳＡ１５）、ステップＳＡ１へ戻る。以後、上述した処理を繰り返す。
【００６９】
・ズーム設定処理
次に、前述したステップＳＡ６におけるズーム設定処理の詳細を図８のフローチャートに従い説明する。係る処理に際してＣＰＵ１１は、まず、ユーザによるズーム操作（ズーム・イン／アウト操作）の有無を判断する（ステップＳＢ１）。ここで、ズーム操作がなければ（ステップＳＢ２でＮＯ）、さらに、ユーザによる画角ロック操作の有無、画角ロック解除操作の有無、ロック範囲の設定操作の有無を順に判断し、いずれの操作もなければ（ステップＳＢ２，ＳＢ５，ＳＢ７が全てＮＯ）、その他のキー処理（録画の開始／停止／終了など）を行ってから（ステップＳＢ９）、前述した図７のメインルーチンへ戻る。
【００７０】
また、ユーザによって所定のキー操作によるロック範囲の設定操作があったときには（ステップＳＢ７でＹＥＳ）、ステップＳＢ３で設定するロック倍率Ｚｌｏｃｋの計算に用いる比率（α）、ズームレンズ６による光学ズーム倍率（ＯｐＺ）と、デジタルズーム機能による現在のデジタルズーム倍率（ＤＺ）とによって確保される全体ズーム倍率（Ｚ＝ＯｐＺ×ＤＺ）に対する比率（α）を設定操作に応じて設定（記憶）し（ステップＳＢ８）、そのまま前述した図７のメインルーチンへ戻る。
【００７１】
ここで、画角のロック範囲とは、ズームキーの操作によってズーム倍率を変化させる間に固定（維持）すべき範囲、つまり撮像画像に収めるべき被写体範囲であり、ロック範囲の設定操作は、例えばカーソルキー操作によるロック範囲の段階的な増減操作や選択操作である。また、設定する比率（α）は、例えば１を基準値とした０．５〜２．０の範囲の値である。
【００７２】
また、ユーザによる画角ロック操作（前述した画角ロックボタンの押下）があったときには（ステップＳＢ２でＹＥＳ）、現在の全体ズーム倍率（Ｚ）、すなわちズームレンズ６による現在の光学ズーム倍率（ＯｐＺ）と、デジタルズーム機能による現在のデジタルズーム倍率（ＤＺ）とによって確保されるズーム倍率（ＯｐＺ×ＤＺ）に、前記比率（α）を乗じたズーム倍率（α×Ｚ）を取得し、その倍率をロック倍率Ｚｌｏｃｋとして設定（記憶）した後（ステップＳＢ３）、画像ロックの有無を示すフラグ（ＦＬＡＧｌｏｃｋ）をオン状態とすることにより、ズームモードとして、予め用意されている画角ロック・モード（第２のモード）を設定し（ステップＳＢ４）、そのまま前述した図７のメインルーチンへ戻る。
【００７３】
また、ユーザによる画角ロック解除操作（画角ロック・モードが設定されている状態での画角ロックボタンの押下）があったときには（ステップＳＢ５でＹＥＳ）、前記フラグ（ＦＬＡＧｌｏｃｋ）をオフ状態とする、つまり画角ロック・モードを解除することにより、ズームモードを通常ズーム・モード（第１のモード）に設定し（ステップＳＢ６）、そのまま前述した図７のメインルーチンへ戻る。
【００７４】
一方、ステップＳＢ１の判別結果がＹＥＳであって、ユーザによるズーム操作があったときには、以下の処理により光学ズーム倍率（ＯｐＺ）とデジタルズーム倍率（ＤＺ）を設定する。なお、本実施の形態において、設定可能なズーム倍率の範囲は、光学ズーム倍率（ＯｐＺ）が１倍〜５倍、デジタルズーム倍率（ＤＺ）が１倍〜４．５倍であり、双方により得られる全体ズーム倍率（Ｚ）は１倍〜２２．５倍（ＯｐＺ×ＤＺ）である。
【００７５】
まず、ズーム操作があったときズームモードが通常ズーム・モードであった場合には（ステップＳＢ１０でＮＯ）、ズーム操作に応じて全体ズーム倍率（Ｚ）を増減設定する（ステップＳＢ１１）。次に、このときの全体ズーム倍率（Ｚ）が１未満であれば（ステップＳＢ１２でＹＥＳ）、光学ズーム倍率（ＯｐＺ）及びデジタルズーム倍率（ＤＺ）をそれぞれ最小値（ＯｐＺｍｉｎ、ＤＺｍｉｎ）に設定し（ステップＳＢ１３）、図７のメインルーチンへ戻る。
【００７６】
また、全体ズーム倍率（Ｚ）がデジタルズーム倍率（ＤＺ）の設定範囲内（１≦Ｚ≦ＤＺｍａｘ）であれば（ステップＳＢ１４でＮＯ）、デジタルズーム倍率（ＤＺ）を優先するように、光学ズーム倍率（ＯｐＺ）を最小値に保持したまま（ＯｐＺ＝ＯｐＺｍｉｎ）、デジタルズーム倍率（ＤＺ）を設定範囲内で増減させて（ＤＺ＝Ｚ／ＯｐＺｍｉｎ）、全体ズーム倍率（Ｚ）を確保する（ステップＳＢ１５）、図７のメインルーチンへ戻る。
【００７７】
また、全体ズーム倍率（Ｚ）がデジタルズーム倍率（ＤＺ）の最大値を超える（Ｚ＞ＤＺｍａｘ）場合には（ステップＳＢ１４でＹＥＳ）、デジタルズーム倍率（ＤＺ）を最大値に保持したまま（ＤＺ＝ＤＺｍａｘ）、光学ズーム倍率（ＯｐＺ）を増減させて（ＯｐＺ＝Ｚ／ＤＺｍａｘ）、全体ズーム倍率（Ｚ）を確保する（ステップＳＢ１６）。
【００７８】
そして、光学ズーム倍率（ＯｐＺ）が最大値を超えていなれば（ステップＳＢ１７でＹＥＳ）、そのまま図７のメインルーチンへ戻り、光学ズーム倍率（ＯｐＺ）が最大値を超えていれば（ステップＳＢ１７でＹＥＳ）、光学ズーム倍率（ＯｐＺ）を最大値（ＯｐＺ＝ＯｐＺｍａｘ）とした後（ステップＳＢ１８）、図７のメインルーチンへ戻る。
【００７９】
つまり通常ズーム・モードでは、全体ズーム倍率（Ｚ）が、最低倍率を含む低倍率側の範囲のあるときにはデジタルズームを優先し、かつ最高倍率含む高倍率側の範囲のあるときには光学ズームを優先して使用しながら、ズーム操作に応じて画角を増減させる制御を行う。
【００８０】
これにより、先に説明した図７のステップＳＡ１４で表示するスルー画像や、動画撮影中にステップＳＡ１１で記録する画像データにおいては、ズーム操作に応じて被写体の大きさが変化することとなる。つまり、従来からの一般的なズーム動作が行われる。
【００８１】
これに対して、ズーム操作があったときズームモードが画角ロック・モードであった場合には（ステップＳＢ１０でＹＥＳ）、まず、ズーム操作に応じて光学ズーム倍率（ＯｐＺ）を増減設定する（ステップＳＢ１９）。さらに、ここで設定した光学ズーム倍率（ＯｐＺ）が最小値未満である場合には（ステップＳＢ２０でＹＥＳ）、光学ズーム倍率（ＯｐＺ）を最小値（ＯｐＺ＝ＯｐＺｍｉｎ）に修正し（ステップＳＢ２１）、また光学ズーム倍率（ＯｐＺ）が最大値を超えていれば（ステップＳＢ２０でＮＯ、ＳＢ２２でＹＥＳ）、光学ズーム倍率（ＯｐＺ）を最大値（ＯｐＺ＝ＯｐＺｍａｘ）に修正する（ステップＳＢ２３）。
【００８２】
引き続き、増減後の光学ズーム倍率（ＯｐＺ）と、ステップＳＢ２で設定したロック倍率（Ｚｌｏｃｋ）とを用いて次式
ＤＺ ＝ Ｚｌｏｃｋ ／ ＯｐＺ
によって、全体ズーム倍率（Ｚ）として上記ロック倍率（Ｚｌｏｃｋ）が確保できるデジタルズーム倍率（ＤＺ）を演算し、それをズーム制御値として設定する（ステップＳＢ２４）。
【００８３】
さらに、ここで設定したデジタルズーム倍率（ＤＺ）が最小値未満であれば（ステップＳＢ２５でＹＥＳ）、デジタルズーム倍率（ＤＺ）を最小値（ＤＺ＝ＤＺｍｉｎ）に修正し、かつそれに応じて光学ズーム倍率（ＯｐＺ）を次式
ＯｐＺ ＝ Ｚｌｏｃｋ ／ ＤＺｍｉｎ
により修正し（ステップＳＢ２６）、図７のメインルーチンへ戻る。
【００８４】
また、デジタルズーム倍率（ＤＺ）が最大値を超えていれば（ステップＳＢ２５でＮＯ、ＳＢ２７でＹＥＳ）、デジタルズーム倍率（ＤＺ）を最大値（ＤＺ＝ＤＺｍａｘ）に修正し、かつそれに応じて光学ズーム倍率（ＯｐＺ）を次式
ＯｐＺ ＝ Ｚｌｏｃｋ ／ ＤＺｍａｘ
により修正し（ステップＳＢ２７）、図７のメインルーチンへ戻る。
【００８５】
以上のように画角ロック・モードでは、ズーム操作に応じて光学ズーム倍率（ＯｐＺ）を増減すると同時に、その増減分を相殺するようにデジタルズーム倍率（ＤＺ）を増減することにより、全体ズーム倍率（Ｚ）すなわち画角を、それ以前（画角ロック・モードによるズーム操作の直前）の画角等に維持する制御を行う。つまり全体ズーム倍率（Ｚ）を同一（又は略同一）とする範囲内で、ズーム操作に応じて光学ズーム倍率（ＯｐＺ）とデジタルズーム倍率（ＤＺ）との組合せを任意の組合せに変化させる。
【００８６】
これにより、先に説明した図７のステップＳＡ１４で表示するスルー画像や、動画撮影中にステップＳＡ１１で記録する画像データにおいては、ズーム操作に応じ、主たる被写体の大きさが略同一のままで、背景部分の大きさ（及びボケ度合）のみが大きく変化することとなる。つまり、光学ズームのみによりズーム・イン／アウトを行う間に、主たる被写体を画面内に同じ大きさにフレーミングするように被写体距離を変化（撮影位置を前後）させる場合と同様の、光学ズームの特性を利用した遠近感の変化を生じさせることができる。
【００８７】
図１１（ｂ）に、以上のズーム設定処理が行われることにより変化するスルー画像（記録画像）の例を示す。上から１番目の画像が画角ロックが行われる直前の画像であり、２番目以降の画像が、画角ロック後におけるズーム・イン／アウト操作による変化を示した画像である。また、２番目以降の画像に１点鎖線の枠線Ａにより示された範囲が、その時点で設定されている画角のロック範囲（被写体範囲）である。そして、図７のステップＳＡ１４においては、画角ロック状態で、かつ前述した全体ズーム倍率（Ｚ）に対する前記比率（α）が１を超える値に設定されているとき、図示したように上記枠線Ａを表示させる。
【００８８】
したがって、動画撮影モードにおいては、例えばズーム操作によって画面内おける主たる被写体の大きさを所望する大きさに調整し、その時点でいったん画角ロック操作を行った後、急激にズーム・アウト操作すると、周りの風景がどんどん遠ざかっていくような、あるいは、らせん階段が急にストーンと落ちていくような、先に述べた「めまいカット」（図１９参照）のように、「Ｔｒａｃｋｕｐ ＆ Ｚｏｏｍｏｕｔ」などの光学ズームの特性を生かした撮影技法による映像と同様の、遠近感が変化していくような映像シーンが、カメラを前進や後進移動しなくても、小型カメラで手持ちでも容易に撮影できる。
【００８９】
また、全体ズーム倍率（Ｚ）に対する前記比率（α）、つまり画角のロック範囲を所定のキー操作により設定できるため、上記撮影技法を用いる場合における描写表現の幅を拡げることができる。
【００９０】
さらに、画角ロック・モードでの動作中にはスルー画像上に枠線Ａを表示させるため、画角のロック範囲（被写体範囲）が容易に識別できるとともに、通常ズーム・モードの状態にあるか、画角ロック・モードの状態にあるかも容易に区別することができる。なお、画角のロック範囲は、枠線Ａの表示に限らず他の方法（画角のロック範囲を除く領域の輝度を低下させる等の方法）により表示してもよい。
【００９１】
なお、本実施の形態のズーム設定処理では、画角ロック・モードにおいて制御目標とするロック倍率（Ｚｌｏｃｋ）を、画角ロック操作が行われた時点の全体ズーム倍率（Ｚ）に前記比率（α）を乗じた倍率としたが、全体ズーム倍率（Ｚ）をそのまま制御目標として使用してもよい。
【００９２】
また、デジタルズーム倍率（ＤＺ）を制御するときの制御目標は、全体ズーム倍率（Ｚ）やロック倍率（Ｚｌｏｃｋ）でなくともよく、画角ロック操作時の全体ズーム画角（θｌｏｃｋ）や被写体範囲（Ｙｌｏｃｋ）としてもよい。
【００９３】
すなわち全体ズーム倍率（Ｚ）の代わりに、固定ロック操作時の全体ズーム画角（θｌｏｃｋ）や被写体範囲（Ｙｌｏｃｋ）等を記憶しておいて、それらが一定になるように、デジタルズーム倍率（ＤＺ）をより精密に制御できするようにしてもよい。その場合、
【００９４】
焦点距離ｆ＝Ｙ’／２ｔａｎ （θ／２）より、レンズ画角θ'＝２ｔａｎ−１ （Ｙ’／ ２ｆ）となるので、
固定画角の比率（α）とデジタルズーム倍率（ＤＺ）を考慮した全体ズーム画角（θ）は、
θ＝２ｔａｎ-１｛α×Ｙ’／２×ｆ×ＤＺ｝、
（ｆ：焦点距離、Ｙ’：撮像面サイズ（イメージ・サークルの直径））
となるので、
θｌｏｃｋ＝２ｔａｎ-１｛α×Ｙ’／２×ｆｌｏｃｋ×ＤＺｌｏｃｋ｝
（ｆｌｏｃｋ ：固定ロック操作時の焦点距離、ＤＺｌｏｃｋ ：デジタルズーム倍率）
である。
【００９５】
そして、光学ズーム（ＯｐＺ）の増減に応じて、焦点距離（ｆ）＝ＯｐＺ×ｆｍｉｎが増減される際、全体画角（θ’）が略一定に維持される（θ＝θｌｏｃｋ）ように、デジタルズーム倍率（ＤＺ）を、
ＤＺ＝（α×Ｙ'）／{２×ｆ×ｔａｎ（θｌｏｃｋ／２）｝、または、
＝（α×Ｙ'）／{ＯｐＺ×ｆｍｉｎ×２ｔａｎ（θｌｏｃｋ／２）｝
となるように制御すればよい。
【００９６】
または、上式より、ｔａｎ（θ／２）＝ｔａｎ（θｌｏｃｋ／２）が満たされるように、
｛（α／ＤＺ）×Ｙ’／２ｆ｝＝｛（α／ＤＺｌｏｃｋ）×Ｙ’／２ｆｌｏｃｋ｝、
から、固定ロック操作時の焦点距離（ｆｌｏｃｋ）と、デジタルズーム倍率（ＤＺｌｏｃｋ）とを記憶しておき、焦点距離（ｆ）、または、光学ズーム倍率（ＯｐＺ）の増減に応じて、デジタルズーム倍率（ＤＺ）が、
ＤＺ＝ＤＺｌｏｃｋ×（ｆｌｏｃｋ／ｆ）＝ＤＺｌｏｃｋ×｛ｆｌｏｃｋ／（ＯｐＺ×ｆｍｉｎ）｝、
となるように制御してもよい。
【００９７】
さらに、撮影距離が変動する場合にも対応できるように、主要被写体の撮影距離（Ｌ）が検出できる場合には、前記制御目標を被写体範囲としてもよい。
【００９８】
つまり、次のような固定ロック操作時の際のＡＦ枠で合焦する主要被写体の被写体範囲（＝撮影される被写体の大きさ）（Ｙｌｏｃｋ）を算出して記憶し、それが一定になるように、デジタルズーム倍率（ＤＺ）を制御してもよい。
【００９９】
すなわち、被写体範囲（Ｙ）は、
【０１００】
Ｙ＝（α／ＤＺ）×Ｌ×Ｙ’／ｆ、
（Ｌ:撮影距離、Ｙ’：撮像面サイズ（イメージ・サークルの直径）、ｆ：焦点距離）
となるので、
固定ロック操作時点の被写体範囲（Ｙｌｏｃｋ）は、
Ｙｌｏｃｋ＝（α／ＤＺｌｏｃｋ）×Ｌｌｏｃｋ×Ｙ’／ｆｌｏｃｋ、
（Ｌｌｏｃｋ、ｆｌｏｃｋ、ＤＺｌｏｃｋ：ロック操作時点の撮影距離、焦点距離、デジタルズーム倍率）
【０１０１】
光学ズーム（ＯｐＺ）の増減に応じて、焦点距離（ｆ）＝ＯｐＺ×ｆｍｉｎが増減される際、上記の被写体範囲（Ｙ）が略一定（Ｙ＝Ｙｌｏｃｋ）に維持されるように、
Ｙ＝（α／ＤＺ）×Ｌ×Ｙ’／ｆ＝Ｙｌｏｃｋを満たすためには、
ＤＺ＝（α×Ｌ×Ｙ’）／（ｆ×Ｙｌｏｃｋ）＝（α×Ｌ×Ｙ’）／（ＯｐＺ×ｆｍｉｎ×Ｙｌｏｃｋ）
となるように、デジタルズーム倍率（ＤＺ）を制御すればよい。
【０１０２】
または、上式から、Ｙ／Ｙｌｏｃｋ＝１の条件を満たす為には、
（α×Ｌ×Ｙ’）／（ｆ×ＤＺ）＝（α×Ｌｌｏｃｋ×Ｙ’）／（ｆｌｏｃｋ×ＤＺｌｏｃｋ）、
（ＤＺ／ＤＺｌｏｃｋ）＝（Ｌ／Ｌｌｏｃｋ）／（ｆ／ｆｌｏｃｋ）、
すなわち、ロック操作時のｆｌｏｃｋ、ＤＺｌｏｃｋを記憶しておいて、デジタルズーム倍率（ＤＺ）が、
ＤＺ＝ＤＺｌｏｃｋ×（Ｌ／Ｌｌｏｃｋ）×（ｆｌｏｃｋ／ｆ）、
＝ＤＺｌｏｃｋ×（Ｌ／Ｌｌｏｃｋ）×｛ｆｌｏｃｋ／（ＯｐＺ×ｆｍｉｎ）｝、
となるように制御してもよい。
【０１０３】
また、画角ロック・モードが設定されているとき、ズーム操作に応じて光学ズーム倍率（ＯｐＺ）を増減させるようにしたが、光学ズーム倍率（ＯｐＺ）を自動的に連続して変化させ、その間の電子ズーム倍率（ＤＺ）を、全体ズーム倍率（Ｚ）を、それ以前（光学ズーム倍率の変化を開始する直前）の画角等に維持する制御を行うようにしてもよい。
【０１０４】
例えばズームキーを望遠又は広角といったズーム方向のみを指示するためのキーとして使用させ、ズームキーによりズーム方向が指示されたとき、それに応答して、指示されたズーム方向に向けて光学ズーム倍率（ＯｐＺ）を自動的に最小倍率または最大倍率まで連続的に変化させてもよい。また、任意の操作キーに予めズーム開始を指示する機能を割り当てておき、ズーム開始が指示されたとき、それに応答して光学ズーム倍率（ＯｐＺ）を自動的にいったん最小倍率または最大倍率まで変化させた後、最大倍率または最小倍率まで変化させてもよい。
【０１０５】
その場合でも、光学ズームの特性を生かした撮影技法による映像と同様の映像シーンが、カメラを前進や後進移動しなくても、小型カメラで手持ちでも容易に撮影できる。
【０１０６】
また、前述した通常ズーム・モードでは、全体ズーム倍率（Ｚ）が、最低倍率を含む低倍率側の範囲のあるときにはデジタルズームを優先し、かつ最高倍率含む高倍率側の範囲のあるときには光学ズームを優先して使用するようにしたが、これとは逆に、全体ズーム倍率（Ｚ）が最低倍率を含む低倍率側の範囲のあるときには光学ズームを優先し、かつ全体ズーム倍率（Ｚ）が最高倍率を含む高倍率側の範囲のあるときにはデジタルズームを優先して使用するようにしたりしてもよい。
【０１０７】
・デジタルズーム処理（１）、（２）
次に、前述したステップＳＡ１０におけるデジタルズーム処理（１）、及びステップＳＡ１１におけるデジタルズーム処理（２）の詳細について説明する。
【０１０８】
図９はデジタルズーム処理（１）の内容を示すフローチャートである。デジタルズーム処理（１）では、前述したズーム設定処理（図８）で設定したデジタルズーム倍率（ＤＺ）に基づきスルー画像として表示する画像データを以下のように読み出す。図１２は、そのときの全体ズーム倍率（Ｚ）と光学ズーム倍率（ＯｐＺ）とデジタルズーム倍率（ＤＺ）との関係（但し、通常ズーム・モード時の関係）と、デジタルズーム倍率（ＤＺ）に対する画素加算数および選択領域を示した図である（画角ロック・モード時も同様）。
【０１０９】
以下説明すると、図９に示したようにＣＰＵ１１は、まず、画素加算数の切替ステップ段数（ｉ）、及び初期の画素加算数、すなわち水平および垂直方向の加算数（ｍ，ｎ）の初期値（ｍ（ｉ），ｎ（ｉ））を、例えば、ｉ＝３、ｍ（ｉ）＝ｍ（３）、ｎ（ｉ）＝ｎ（３）に設定した後（ステップＳＣ１）、前述したステップＳＡ５で設定したデジタルズ−ムの中央位置（ＸＣ，ＹＣ）をデータ・メモリ２９から読み込む（ステップＳＣ２）。
【０１１０】
引き続き、前述した感光部２０１から撮像信号を読み出すときの画素加算数（ｍ，ｎ）を予め設定する。つまり画素加算における水平および／または垂直方向の加算数（ｍ，ｎ）を、デジタルズーム倍率（ＤＺ）に応じて、ＤＺが低倍率になるほど加算数が大きく、高倍率になるほど加算数が小さくなるように、段階的に切り替えて加算数の自動調整を行う（ステップＳＣ３〜ＳＣ９）。
【０１１１】
これにより、低倍率で表示画角が広い時には、加算処理によって撮像信号のデータ量を、１／（ｍ×ｎ）に小さくするとともに、画素加算効果によって、撮像感度を上げ画質の劣化を補う。また、高倍率で画角が狭い時には、加算数を減らすことにより、高精細の解像度を優先させるとともに、画角（＝選択領域）を狭くすることでデータ量を所定以下に抑える。
なお、上記の加算読出しにおける各段階の加算数（ｍ（ｉ），ｎ（ｉ））は、スルー表示の画質が劣化しないように、選択領域の加算読出し画像サイズ（Ｘ’，Ｙ’）が、少なくとも表示メモリ２３ａヘ書込みする（ＶＧＡサイズ＝６４０×４８０など）所定の画像サイズ（Ｘｄ，Ｙｄ）以上となる加算数の切替条件、すなわち、
Ｘ’＝Ｘ／ｍ＝ＩＮＴ（ＸＦ／ＤＺ）／ｍ ≧Ｘｄ、
かつ、
Ｙ’＝Ｙ／ｎ＝ＩＮＴ（ＹＦ／ＤＺ）／ｎ ≧Ｙｄ、
が満足される範囲とする。
【０１１２】
すなわち、デジタルズーム時の加算数（ｍ（ｉ），ｎ（ｉ））に応じて、デジタルズーム倍率（ＤＺ）が次式で表されるデジタルズーム倍率限度ＤＺＬ（ｉ）以内となるように、
ＤＺ≦ＤＺＬ（ｉ）、
但し、
ＤＺＬ（ｉ）＝ＩＮＴ｛ＸＦ／ｍ（ｉ）｝／Ｘｄ、またはＩＮＴ｛ＹＦ／ｎ（ｉ）｝／Ｙｄ
となる範囲内で、デジタルズーム倍率を可変するように制御すれば、スルー表示での画質劣化が抑えられるので、それを超える高倍率が選択された場合には、選択領域の加算読出し画像サイズ（Ｘ’，Ｙ’）が、表示書込み用画像サイズ（Ｘｄ，Ｙｄ）未満になる場合には、各デジタルズーム倍率限度に達する度に、加算数（ｍ（ｉ），ｎ（ｉ））を、順次小さい加算数（ｍ（ｉ−１），ｎ（ｉ−１））、（ｍ（ｉ−２），ｎ（ｉ−２））、・・・等に段階的に切り替える。
【０１１３】
例えば、ＸＦ＝２,８８０、ＹＦ＝２,１６０、Ｘｄ＝６４０、Ｙｄ＝４８０のとき、初期の加算数をｍ＝ｎ＝３からはじめる場合には、
ＤＺＬ（３）＝１．５、ＤＺＬ（２）＝２．２５、ＤＺＬ（１）＝４．５となるので、
ＤＺ＝１〜１．５倍のとき、ｍ＝ｎ＝３として、（３×３）の加算読出しを行い、
ＤＺ＝１．５〜２．２５倍のとき、ｍ＝ｎ＝２として、（２×２）の加算読出しを行い、
ＤＺ＝２．２５〜４．５倍のとき、ｍ＝ｎ＝１として、（１×１）の加算なし読出しを行うようにする。
【０１１４】
引き続き、そのときのデジタルズーム倍率（ＤＺ）と前記中央位置（ＸＣ，ＹＣ）に応じて、感光部２０１における選択読出し領域の画像サイズ（ヨコＸ×タテＹ）と、読出し範囲（Ｘ１〜Ｘ２，Ｙ１〜Ｙ２）、つまり（ヨコ）×１／（ＤＺ）、（タテ）×１／（ＤＺ）の大きさの部分領域（選択領域）を設定する（ステップＳＣ１０）。
【０１１５】
すなわち、感光部２０１の有効領域の大きさ（画素数）を（ＸＦ，ＹＦ）とすると、選択する部分領域の大きさ（画素数）（Ｘ，Ｙ）は、
Ｘ＝ＩＮＴ（ＸＦ／ＤＺ）、Ｙ＝ＩＮＴ（ＹＦ／ＤＺ）、
【０１１６】
また、視野中央（もしくは選択ＡＦ枠など）の画素位置を（ＸＣ，ＹＣ）とすると、選択する部分領域の範囲（例：左上からの画素座標）（Ｘ１〜Ｘ２）、（Ｙ１〜Ｙ２）は、
Ｘ１＝ＸＣ−Ｘ／２、Ｘ２＝ＸＣ＋Ｘ／２、Ｙ１＝ＹＣ−Ｙ／２、Ｙ２＝ＹＣ＋Ｙ／２、
ただし、Ｘ１＜０のとき、Ｘ１＝０、Ｘ２＝Ｘ、または、
Ｘ２＞ＸＦのとき、Ｘ１＝ＸＦ−Ｘ、Ｘ２＝ＸＦ、
および、Ｙ１＜０のときＹ１＝０、Ｙ２＝Ｙ、または、
Ｙ２＞ＹＦのときＹ１＝ＹＦ−Ｙ、Ｙ２＝ＹＦ、
として、上下左右の端から超えるときには、各端からはみ出さないようにずらせて、設定された部分領域の大きさ（Ｘ，Ｙ）を確保する。
【０１１７】
そして、前述したイメージセンサ２の領域選択読出し機能を利用して、上記のように設定した読出し範囲（Ｘ１〜Ｘ２，Ｙ１〜Ｙ２）の画像信号を、加算数（ｍ，ｎ）に従って加算して（又は加算なしで）読出し、画像サイズ（Ｘ’，Ｙ’）＝（Ｘ／ｍ，Ｙ／ｎ）の画像信号をＤＳＰ３（バッファメモリ３０２）に読み込み（ステップＳＣ１１）、前述した図７のメインルーチンへ戻る。
【０１１８】
図１３及び図１４は、以上のデジタルズーム処理（１）、及びそれに続く図７のリサイズ／補間処理（ステップＳＡ７）による処理内容の具体例を示した図である。
【０１１９】
例えばＸＦ＝２,８８０、ＹＦ＝２,１６０、Ｘｄ＝６４０、Ｙｄ＝４８０であれば、デジタルズーム倍率ＤＺ＝１．２倍のとき、デジタルズーム処理（１）では、
Ｘ＝ＩＮＴ（ＸＦ／ＤＺ）＝（２，８８０／１．２）＝２，４００、Ｙ＝ＩＮＴ（ＹＦ／ＤＺ）＝（２，１６０／１．２）＝１，８００、
の大きさの撮像領域を選択読出しし、かつ、ＤＺ≦ＤＺＬ（３）＝１．５なので、加算数ｍ＝３、ｎ＝３で加算読出しすることにより、
Ｘ’＝Ｘ／ｍ＝（２，４００／３）＝８００、Ｙ’＝Ｙ／ｎ＝（１，８００／３）＝６００、
すなわち（８００×６００）画素の（３×３）加算読出し画像を得る。
【０１２０】
また、続くリサイズ／補間処理では、（８００×６００）画素の（３×３）加算読出し画像を元に、表示用書込みサイズの（６４０×４８０）画素に合わせて、
ＩＰｘ＝Ｘｄ／Ｘ’＝６４０／８００＝１／１．２５、および、ＩＰｙ＝Ｙｄ／Ｙ’＝４８０／６００＝１／１．２５、
に相当するリサイズ／補間処理（１／１．２５×１／１．２５）を行って、（６４０×４８０）画素の画像を表示メモリ２３ａに書き込む。
【０１２１】
図１１の左側部分に、ズーム操作に応じて光学ズーム倍率（ＯｐＺ）が変化する間における撮像可能な全被写体像の変化と、実際に撮像される選択読出し領域（図で実線）の変化を示す。なお、図に破線で示した範囲が、前述したズーム設定処理によって維持される画角のロック範囲である。
【０１２２】
一方、図１０は、デジタルズーム処理（２）の内容を示すフローチャートである。係る処理では、前述したズーム設定処理で設定したデジタルズーム倍率（ＤＺ）に基づき、以下のように動画像として記録する画像データを読み出す。
【０１２３】
ＣＰＵ１１は、まず、ユーザにより設定されている記録画像サイズ（ＸＲ，ＹＲ）に応じて、あらかじめ、画素加算する加算数の上限値を、
ｍmax＝ＩＮＴ（ＸＦ／ＸＲ）、または、ｎmax＝ＩＮＴ（ＹＦ／ＹＲ）
のように、つまりイメージセンサ２から読み出される撮像画像サイズが、設定記録画像サイズより大きくなるように設定する（ステップＳＤ１〜ＳＤ４）。
【０１２４】
例えば、ＸＦ＝２，８８０、ＹＦ＝２，１６０で、設定記録画像サイズが、ＸＲ＝１，２８０、ＹＲ＝９６０のとき、加算数の限度は、
ｍmax≦ＩＮＴ（２，８８０／１，２８０）＝２、ｎmax≦ＩＮＴ（２，１６０／９６０）＝２となるので、ｍ１＝ｎ１＝１、ｍ２＝ｎ２＝２、とすると、
加算数ｍ２の限度倍率ＤＺＬ（２）＝ＩＮＴ（２，８８０／２）／１，２８０＝１．１２５、
加算数ｍ１の限度倍率ＤＺＬ（１）＝ＩＮＴ（２，８８０／１）／１，２８０＝２．２５、となるので、
初期加算数をｉ＝２、ｍ＝ｎ＝２からはじめたとき、
ＤＺ＝１〜１．１２５倍のとき、ｍ＝ｎ＝２（２×２加算読出し）、
ＤＺ＝１．１２５〜２．２５倍のとき、ｍ＝ｎ＝１（１×１加算なし読出し）
となるように、ＤＺ＝１．１２５にて、加算数を切り替える。
【０１２５】
そして、前述したステップＳＡ５で設定したデジタルズ−ムの中央位置（ＸＣ，ＹＣ）をデータ・メモリ２９から読み込む（ステップＳＤ５）。
【０１２６】
引き続き、選択領域の加算読出し画像サイズ（Ｘ’，Ｙ’）が、少なくとも、ユーザにより設定されている所望の動画記録の画像サイズ（ＸＲ，ＹＲ）以上となる条件、
Ｘ’＝Ｘ／ｍ＝ＩＮＴ（ＸＦ／ＤＺ）／ｍ（ｉ）≧ＸＲ、かつ、
Ｙ’＝Ｙ／ｎ＝ＩＮＴ（ＹＦ／ＤＺ）／ｎ（ｉ）≧Ｙ、
が満足される範囲で、デジタルズーム倍率（ＤＺ）を可変するようにして、つまり、加算数（ｍ（ｉ−１），ｎ（ｉ−１））に応じて、デジタルズーム倍率（ＤＺ）が
ＤＺ≦ＤＺＬ（ｉ）、但し、ＤＺＬ（ｉ）＝ＩＮＴ｛ＸＦ／ｍ（ｉ）｝／ＸＲ、または、ＩＮＴ｛ＹＦ／ｎＬ（ｉ）｝／ＹＲ
となる範囲内で、デジタルズーム倍率（ＤＺ）を可変するように制御すれば、記録される動画像の画質劣化が抑えられるので、それを超える高倍率を選択し、選択領域の加算読出し画像サイズが設定記録画像サイズ（ＸＲ，ＹＲ）未満になる場合には、加算数（ｍ（ｉ），ｎ（ｉ））を順次小さい加算数に切り替える。これにより、加算数を決定する（ステップＳＤ６〜ＳＤ１２）。
【０１２７】
なお、表示書込み用画像サイズ（Ｘｄ，Ｙｄ）の代わりに、設定された記録画像サイズ（ＸＲ，ＹＲ）よりも小さな読出し画像サイズにならないように、画素加算数を切り替える以外は、図９の既説したデジタルズーム処理（１）とほぼ同様である。その際、拡大や伸張処理などを伴う画質が劣化しやすいリサイズや補間処理を行わない範囲内において、画素加算数を切り替えて、記録動画像の画質が劣化したり解像感が落ちない範囲で、読出し画像のデータ量を削減して、所要メモリ容量や信号処理量などを抑えるようにする。
【０１２８】
すなわちステップＳＤ１３，ＳＤ１４においては、例えば、ＸＦ＝２，８８０、ＹＦ＝２，１６０で、設定記録画像サイズが、ＸＲ＝１,２８０、ＹＲ＝９６０であれば、
（例１）デジタルズーム倍率ＤＺ＝１．０倍のとき、選択読み出しする領域の大きさ（Ｘ，Ｙ）は、
Ｘ＝ＩＮＴ（ＸＦ／ＤＺ）＝（２,８８０／１）＝２,８００、Ｙ＝ＩＮＴ（ＹＦ／ＤＺ）＝（２,１６０／１）＝２,１６０、
ＤＺは、ＤＺＬ（２）＝１．１２５より小さい範囲内に入るので、加算数ｍ＝２、ｎ＝２として加算読出しし、
Ｘ’＝Ｘ／ｍ＝（２,８００／２）＝１，４４０、Ｙ’＝Ｙ／ｎ＝（２,１６０／２）＝１,０８０、
すなわち、１,４４０×１,０８０画素の（２×２）加算画像を得る。
【０１２９】
（例２）同様に、デジタルズーム倍率ＤＺ＝２．０倍のとき、選択読み出しする領域の大きさ（Ｘ，Ｙ）は、
Ｘ＝（２,８８０／２）＝１,４４０、Ｙ＝（２,１６０／２）＝１,０８０、
ＤＺは、ＤＺＬ（２）＝１．１２５より大きいが、ＤＺＬ（１）＝２．２５よりは小さいので、加算数ｍ＝１、ｎ＝１として加算読出しして、
Ｘ’＝（１,４４０／１）＝１,４４０、Ｙ’＝（１,０８０／１）＝１,０８０、
すなわち、１,４４０×１,０８０画素の（１×１）加算画像を得る。
【０１３０】
しかる後、前述した図７のメインルーチンへ戻る。
【０１３１】
以上のようにデジタルズーム処理（１）、（２）では、表示書込み用画像サイズが確保できる範囲で、かつ動画撮影中にあっては設定された記録画像サイズが確保できる範囲で、デジタルズーム倍率（ＤＺ）に応じて、低倍率のときには加算数を上げ、また高倍率のときには段階的に加算数を下げることにより、スルー画像や記録する動画像における解像度や画質の向上を図ることができる。
【０１３２】
さらに、本実施の形態では、イメージセンサ２として領域選択読出しと水平／垂直の画素加算読出しができる高速ＣＭＯＳイメージセンサを用い、所定領域の画素を所定の加算数で画素加算する処理を撮像信号の読み出し段階で行うことから、その処理を、イメージセンサ２から全画素分の撮像信号を読み出した後の画像処理段階で行う場合とは異なり、高解像度で高速フレームレートの場合でも、荒い間引きやフレームレートの低減などを行わなくでも、画質を劣化させたり解像感が段階的に落ちたりすることなく、スムーズで滑らかなデジタルズーム撮影や動画撮影が実現できる。
【０１３３】
なお、前述したズーム設定処理で決定したデジタルズーム倍率（ＤＺ）を確保するには、上述したデジタルズーム処理（１）、（２）に限らず、これ以外の他の処理によって行うようにしてもよい。例えばイメージセンサ２から全画素分の撮像信号を読み出し、その撮像信号に基づく画像データから全体ズーム倍率（Ｚ）に応じた画角に対応する画像領域を単に切り出す処理によって行うようにしてもよい。また、イメージセンサ２はＣＭＯＳイメージセンサに限らずＣＣＤとしても構わない。
【０１３４】
一方、ここでは、動画撮影モードが設定されているときの動作について説明したが、前述したズーム設定処理は、静止画撮影モードが設定されている場合に行ってもよい。その場合、ユーザは、必要に応じて画角ロック操作を行ってズームモードを画角ロック・モードに切り替えてからズーム操作を行えば、任意の倍率や画角を維持したまま光学ズーム倍率や焦点距離を変えることができ、同じ構図の被写体に対して遠近感の強調や圧縮、あるいは背景のボケ具合などを自由に可変調整して撮影でき、所望の構図を自由に選択して撮影できる。
【０１３５】
（実施形態２）
以下、本発明の第２の実施形態について説明する。本実施の形態は、図１に示した構成において、前記操作入力部３６に、第１の実施の形態で説明した通常ズーム・モードにおけるズーム（以下、通常ズームと呼ぶ。）を行うための第１のズームキーと、画角ロック・モードにおけるズーム（以下、遠近感制御ズームと呼ぶ。）を行うための第２のズームキー、すなわち本発明における第１の操作手段、第２の操作手段とが独立して設けられているデジタルカメラに関するものである。
【０１３６】
図１５は、本実施の形態において、静止画撮影モードが設定されているときのＣＰＵ１１による制御（静止画撮影制御）の内容を示すフローチャートである。
【０１３７】
静止画撮影モードが設定されているときＣＰＵ１１は、まず、イメージセンサ２により撮像可能な最大画像サイズである撮像フル画像サイズ（ＸＦ、ＹＦ）と表示メモリ２３ａの書込み画像サイズ（Ｘｄ、Ｙｄ）とに応じて、(画質劣化しない)デジタルズーム倍率（ＤＺ）の限度（ＤＺmax）を設定する（ステップＳＥ１）。なお、ここで設定される限度（ＤＺmax）は、後述するステップＳＥ９のデジタルズーム処理（１）で使用されるパラメータである。
【０１３８】
引き続き、測光処理及びホワイトバランス調整処理を行い（ステップＳＥ２）、ユーザによるＡＦ枠の選択があれば（ステップＳＥ３でＹＥＳ）、操作に応じてＡＦ枠を選択し、選択されたＡＦ枠（の中心）をデジタルズ−ムの中央位置（ＸＣ，ＹＣ）に設定し（ステップＳＥ４）、ユーザによるＡＦ枠の選択がなければ（ステップＳＥ３でＮＯ）、視野の中央をデジタルズームの中央位置（ＸＣ，ＹＣ）に設定する（ステップＳＥ５）。なお、設定した中央位置（ＸＣ，ＹＣ）はデータ・メモリ２９に記憶する。
【０１３９】
その後、図１７に示す、第１の実施の形態とは異なるズーム設定処理に移行し、係る処理において、ユーザのズーム操作（ズーム・イン／アウト操作）に応じた光学ズーム倍率（ＯｐＺ）とデジタルズーム倍率（ＤＺ）の設定を行う（ステップＳＥ６）。なお、詳細については後述する。
【０１４０】
次に、上記ズーム設定処理で設定した上記の光学ズーム倍率（ＯｐＺ）に従いズームレンズ６を駆動する光学ズーム処理を行った後（ステップＳＥ７）、選択されたＡＦ枠又は視野中央をフォーカス検出領域として焦点レンズ５を駆動するＡＦ処理を行う（ステップＳＥ８）。
【０１４１】
そして、第１の実施の形態で既説した図９のデジタルズーム処理（１）へ移行し、上記ズーム設定処理で設定したデジタルズーム倍率（ＤＺ）に基づき、イメージセンサ２の領域選択読出し機能、および画素加算機能を用いた画像データの読み出しを行い、前記表示メモリ２３ａの書込み画像サイズ（Ｘｄ、Ｙｄ）以上の画像サイズ（Ｘ’，Ｙ’）の画像データを取得する（ステップＳＥ９）。
【０１４２】
次に、上記デジタルズーム処理（１）で取得した画像データに対し、撮像画像サイズ（Ｘ’，Ｙ’）と、表示メモリ２３ａの書込みサイズ（Ｘｄ，Ｙｄ）に応じたリサイズ率（ＩＰｘ＝Ｘｄ／Ｘ’、ＩＰｙ＝Ｙｄ／Ｙ’）でのリサイズ／補間処理を行いスルー画像用の画像データを取得する（ステップＳＥ１０）。
【０１４３】
しかる後、取得した画像データに基づくスルー画像をＬＣＤ２４に表示させるとともに、ズーム倍率や、後述する固定画角領域（必要時のみ）をスルー画像に重ねて表示させる（ステップＳＥ１１）。なお、ズーム倍率や固定画角領域の表示は、例えばＯＳＤ表示によって行う。
【０１４４】
その後、図１６に示したように、レリーズボタンが半押しされなければ（ステップＳＥ１２でＮＯ）、その他のキー処理を行ってから（ステップＳＥ１３）、図１５のステップＳＥ２へ戻る。レリーズボタンが半押しされたら（ステップＳＥ１２でＹＥＳ）、測光処理を行うとともに、測光値と撮影条件とに応じて露出条件を設定する（ステップＳＥ１４）。ここで、レリーズボタンが全押しされなければ（ステップＳＥ１５でＮＯ）、ステップＳＥ１２へ戻る。
【０１４５】
一方、レリーズボタンが全押しされたら（ステップＳＥ１５でＹＥＳ）、設定撮影条件と露出条件に従って、露出＆撮影処理（デジタルズーム倍率ＤＺに応じて、領域選択した画像を、加算なしで読み出して撮影）を行う（ステップＳＥ１６）。そして、設定記録画像サイズに応じて、（必要な場合のみ）撮影画像データのリサイズ／補間処理を行った後（ステップＳＥ１７）、撮影した画像データの符号化／圧縮符号化、撮影画像データのメモリへの記録、撮影画像のレビュー表示を行い（ステップＳＥ１８〜ＳＥ２０）、ステップＳＥ１へ戻る。以後、前述した処理を繰り返す。
【０１４６】
・ズーム設定処理
次に、前述したステップＳＥ６における本実施の形態のズーム設定処理の詳細を図１７のフローチャートに従い説明する。係る処理に際してＣＰＵ１１は、まず、第２のズームキーによる遠近感制御ズーム操作の有無、第１のズームキーによる通常ズーム操作の有無、固定画角範囲の設定操作の有無を順に判断し、いずれの操作もなければ（ステップＳＦ１，ＳＦ１５，ＳＦ２２が全てＮＯ）、その他のキー処理を行ってから（ステップＳＦ２３）、図１５のメインルーチンへ戻る。
【０１４７】
一方、ユーザにより固定画角範囲の設定操作があったときには（ステップＳＦ２２でＹＥＳ）、後述するステップＳＦ３で設定するロック倍率Ｚｌｏｃｋの計算に用いる比率（α）であって、ズームレンズ６による現在の光学ズーム倍率（ＯｐＺ）と、デジタルズーム機能による現在のデジタルズーム倍率（ＤＺ）とによって確保される全体ズーム倍率（Ｚ＝ＯｐＺ×ＤＺ）に対する比率（α）を設定操作に応じて設定（記憶）し（ステップＳＦ２４）、ステップＳＦ１へ戻る。ここで、固定画角範囲とは、遠近感制御ズームによってズーム倍率を変化させる間に固定（維持）すべき範囲、つまり撮像画像に収めるべき被写体範囲であり、その設定操作は、例えばカーソルキー操作による固定画角範囲の段階的な増減操作や選択操作である。また、設定する比率（α）は、例えば１を基準値とした０．５〜２．０の範囲の値である。
【０１４８】
また、通常ズーム操作があったときには（ステップＳＦ１５でＹＥＳ）、まず、現在のデジタルズーム倍率（ＤＺ）を維持したままで、ズーム操作に応じて光学ズーム倍率（ＯｐＺ）のみを増減し（ステップＳＦ１５）、遠近感制御ズーム操作中であることを示すフラグ（ＦＬＡＧ）をオフ状態とする（ステップＳＦ１６）。
【０１４９】
引き続き、増減後の光学ズーム倍率（ＯｐＺ）が設定可能な最小値（ＯｐＺｍｉｎ）よりも小さければ（ステップＳＦ１８でＹＥＳ）、それを最小値（ＯｐＺ＝ＯｐＺｍｉｎ）に修正し（ステップＳＦ１９）、また、増減後の光学ズーム倍率（ＯｐＺ）が設定可能な最大値（ＯｐＺｍａｘ）よりも小さければ（ステップＳＦ１８でＮＯ、ステップＳＦ１８でＹＥＳ）、それを最大値（ＯｐＺ＝ＯｐＺｍａｘ）に修正し（ステップＳＦ１９）、それぞれ図１５のメインルーチンへ戻る。
【０１５０】
つまり通常ズーム操作があったときには、全体ズーム倍率（Ｚ）を、その時点のデジタルズーム倍率（ＤＺ）に応じた範囲内（ＤＺ×ＯｐＺｍｉｎ ≦Ｚ≦ＤＺ×ＯｐＺｍａｘ）で変化させる。これにより、先に説明した図１５のステップＳＥ１１で表示するスルー画像においては、ズーム操作に応じて画角が変化することにより、被写体の大きさが変化することとなる。つまり、従来からの一般的なズーム動作が行われる。その場合におけるスルー画像の変化を図１８（ａ）に示す。
【０１５１】
これに対して、遠近感制御ズーム操作があったときには（ステップＳＦ２でＹＥＳ）、まず、前述したフラグ（ＦＬＡＧ）の状態から、前回のズーム操作が通常ズーム操作であったか否かを確認する（ステップＳ３）。そして、通常ズーム操作であった場合には（ステップＳＦ３でＹＥＳ）、現在の全体ズーム倍率（Ｚ＝ＯｐＺ×ＤＺ）に前記比率（α）を乗じたズーム倍率（α×Ｚ）を取得し、その倍率をロック倍率Ｚｌｏｃｋとして設定（記憶）した後（ステップＳＦ３）、前記フラグ（ＦＬＡＧ）をオン状態とする（ステップＳＦ４）。また、前回のズーム操作が通常ズーム操作でない場合、つまり前回も遠近感制御ズーム操作であった場合には（ステップＳＦ２でＮＯ）、そのままステップＳＦ５へ進む。
【０１５２】
続くステップＳＦ５では、ズーム操作に応じて光学ズーム倍率（ＯｐＺ）を増減設定する。ここで設定した光学ズーム倍率（ＯｐＺ）が最小値未満である場合には（ステップＳＦ６でＹＥＳ）、光学ズーム倍率（ＯｐＺ）を最小値（ＯｐＺ＝ＯｐＺｍｉｎ）に修正し（ステップＳＦ７）、また光学ズーム倍率（ＯｐＺ）が最大値を超えていれば（ステップＳＦ６でＮＯ、ＳＦ８でＹＥＳ）、光学ズーム倍率（ＯｐＺ）を最大値（ＯｐＺ＝ＯｐＺｍａｘ）に修正する（ステップＳＦ９）。
【０１５３】
引き続き、増減後の光学ズーム倍率（ＯｐＺ）と、ステップＳＦ３で設定したロック倍率（Ｚｌｏｃｋ）とを用いて次式
ＤＺ ＝ Ｚｌｏｃｋ ／ ＯｐＺ
によって、全体ズーム倍率（Ｚ）として上記ロック倍率（Ｚｌｏｃｋ）が確保できるデジタルズーム倍率（ＤＺ）を演算し、それをズーム制御値として設定する（ステップＳＦ１０）。
【０１５４】
さらに、ここで設定したデジタルズーム倍率（ＤＺ）が最小値未満であれば（ステップＳＦ１１でＹＥＳ）、デジタルズーム倍率（ＤＺ）を最小値（ＤＺ＝ＤＺｍｉｎ）に修正し、かつそれに応じて光学ズーム倍率（ＯｐＺ）を次式
ＯｐＺ ＝ Ｚｌｏｃｋ ／ ＤＺｍｉｎ
により修正する（ステップＳＦ１２）。
【０１５５】
また、デジタルズーム倍率（ＤＺ）が最大値を超えていれば（ステップＳＦ１１でＮＯ、ＳＦ１３でＹＥＳ）、デジタルズーム倍率（ＤＺ）を最大値（ＤＺ＝ＤＺｍａｘ）に修正し、かつそれに応じて光学ズーム倍率（ＯｐＺ）を次式
ＯｐＺ ＝ Ｚｌｏｃｋ ／ ＤＺｍａｘ
により修正する（ステップＳＦ１４）。
【０１５６】
以上のように遠近感制御ズーム操作があったときには、ズーム操作に応じて光学ズーム倍率（ＯｐＺ）を増減すると同時に、その増減分を相殺するようにデジタルズーム倍率（ＤＺ）を増減することにより、全体ズーム倍率（Ｚ）すなわち画角を、それ以前（遠近感ズーム操作の直前）の画角等に維持する制御を行う。つまり全体ズーム倍率（Ｚ）を同一（又は略同一）とする範囲内で、ズーム操作に応じて光学ズーム倍率（ＯｐＺ）とデジタルズーム倍率（ＤＺ）との組合せを任意の組合せに変化させる。
【０１５７】
これにより、先に説明した図１５のステップＳＥ１１で表示するスルー画像においては、ズーム操作に応じ、主たる被写体の大きさが略同一のままで、背景部分の大きさ（及びボケ度合）のみが大きく変化することとなる。つまり、光学ズームのみによりズーム・イン／アウトを行う間に、主たる被写体を画面内に同じ大きさにフレーミングするように被写体距離を変化（撮影位置を前後）させる場合と同様の、光学ズームの特性を利用した遠近感の変化を生じさせることができる。
【０１５８】
その場合におけるスルー画像の変化を図１８（ｂ）に示す。図１８（ｂ）は、上から２番目の画像が、前回、通常ズーム操作があった直後の状態のスルー画像であり、各画像に１点鎖線の枠線Ａにより示された範囲が、その時点で設定されている固定画角範囲（被写体範囲）である。そして、図１５のステップＳＥ１１では、前述した全体ズーム倍率（Ｚ）に対する前記比率（α）が１を超える値に設定されている状態で、かつ遠近感制御ズーム操作があってから次に通常ズーム操作があるまでの間に、図示したように上記枠線Ａを表示させる。
【０１５９】
したがって、静止画撮影モードによる撮影時には、任意の時点で遠近感制御ズーム操作を行うことにより、主要被写体が同じ範囲に写るように、任意の倍率や画角を維持したまま光学ズーム倍率や焦点距離を変えることができ、同じ構図の被写体に対して遠近感の強調や圧縮、あるいは背景のボケ具合などを自由に可変調整して撮影でき、所望の構図を自由に選択して撮影できる。
【０１６０】
また、遠近感制御ズーム操作中にはスルー画像上に枠線Ａを表示させるため、固定画角範囲（被写体範囲）が容易に識別できる。なお、固定画角範囲は、枠線Ａの表示に限らず他の方法（固定画角範囲を除く領域の輝度を低下させる等の方法）により表示してもよい。
【０１６１】
また、前述したズーム設定処理で決定したデジタルズーム倍率（ＤＺ）を、上述したデジタルズーム処理（１）によって確保し、表示書込み用画像サイズが確保できる範囲で、デジタルズーム倍率（ＤＺ）に応じて、低倍率のときには加算数を上げ、また高倍率のときには段階的に加算数を下げることにより、スルー画像における解像度や画質の向上を図ることができる。
【０１６２】
なお、本実施の形態では、通常ズーム操作があったとき、現在のデジタルズーム倍率（ＤＺ）を維持したままで、ズーム操作に応じて光学ズーム倍率（ＯｐＺ）のみを増減させるようにしたが、現在の全体ズーム倍率（Ｚ）に応じてデジタルズーム倍率（ＤＺ）も増減させるようにしてもよい。
【０１６３】
その場合、第１の実施の形態における通常ズーム・モードでの制御と同様、全体ズーム倍率（Ｚ）が最低倍率を含む低倍率側の範囲のあるときにはデジタルズームを優先し、かつ全体ズーム倍率（Ｚ）が最高倍率を含む高倍率側の範囲のあるときには光学ズームを優先して使用するようにしたり、逆に、全体ズーム倍率（Ｚ）が最低倍率を含む低倍率側の範囲のあるときには光学ズームを優先し、かつ全体ズーム倍率（Ｚ）が最高倍率を含む高倍率側の範囲のあるときにはデジタルズームを優先して使用するようにしたりしてもよい。
【０１６４】
また、本実施の形態のズーム設定処理では、遠近感制御ズームを行うとき、制御目標とするロック倍率（Ｚｌｏｃｋ）を、遠近感制御ズームが行われた時点の全体ズーム倍率（Ｚ）に前記比率（α）を乗じた倍率としたが、全体ズーム倍率（Ｚ）をそのまま制御目標として使用してもよい。さらに、第１の実施の形態で述べたように、制御目標は、全体ズーム倍率（Ｚ）やロック倍率（Ｚｌｏｃｋ）でなくともよく、画角ロック操作時の全体ズーム画角（θｌｏｃｋ）や被写体範囲（Ｙｌｏｃｋ）としたり、さらには主要被写体の撮影距離（Ｌ）が検出できる場合には被写体範囲としてもよい。
【０１６５】
また、第１の実施の形態と同様、前述したズーム設定処理で決定したデジタルズーム倍率（ＤＺ）を確保するには、上述したデジタルズーム処理（１）に限らず、これ以外の他の処理によって行うようにしてもよい。例えばイメージセンサ２から全画素分の撮像信号を読み出し、その撮像信号に基づく画像データから全体ズーム倍率（Ｚ）に応じた画角に対応する画像領域を単に切り出す処理によって行うようにしてもよい。また、イメージセンサ２はＣＭＯＳイメージセンサに限らずＣＣＤとしても構わない。
【０１６６】
一方、ここでは、静止画撮影モードが設定されているときの動作について説明したが、前述したズーム設定処理は、動画撮影モードが設定されている場合に行ってもよい。その場合、ユーザは、第１のズームキーによる通常ズーム操作によって画面内おける主たる被写体の大きさを所望する大きさに調整した後、今度は第２のズームキーによる遠近感制御ズーム操作によって急激にズーム・アウトを行うことにより、先に述べた「めまいカット」（図１９参照）のように、「Ｔｒａｃｋｕｐ ＆ Ｚｏｏｍｏｕｔ」などの光学ズームの特性を生かした撮影技法による映像と同様の、遠近感が変化していくような映像シーンを、カメラを前進や後進移動しなくても、小型カメラで手持ちでも容易に撮影できる。
【０１６７】
さらに、以上説明した第１及び第２の実施の形態では、本発明をデジタルカメラに適用する場合について説明したが、本発明は電子ズーム機能を有しているものであれば、光学ズームの有無に関係なくデジタルビデオカメラ、カメラ付き携帯電話端末、カメラ付きＰＤＡ等の他の撮像装置にも採用することができる。
【図面の簡単な説明】
【０１６８】
【図１】各実施の形態に共通するデジタルカメラのブロック図である。
【図２】イメージセンサ及びＤＳＰの詳細を示したシステム構成図である。
【図３】同イメージセンサの詳細を示した回路図である。
【図４】（ａ）はイメージセンサの単位画素回路、（ｂ）は単位画素回路の構造、（ｃ）は単位画素回路の動作を示した説明図である。
【図５】ＣＤＳ／ＡＤＣ回路及びデジタル画素加算回路の具体的構成を示した回路図である。
【図６】信号読み出し時の動作タイミングチャートである。
【図７】第１の実施の形態における動画撮影モードでの動作を示すフローチャートである。
【図８】ズーム設定処理を示すフローチャートである。
【図９】デジタルズーム処理（１）を示すフローチャートである。
【図１０】デジタルズーム処理（２）を示すフローチャートである。
【図１１】本発明に係る動作内容を示す図である。
【図１２】デジタルズーム処理（１）、（２）による制御内容を示す説明図である。
【図１３】デジタルズーム処理（１）、（２）での動作内容を示す説明図である。
【図１４】図１３に続く説明図である。
【図１５】第２の実施の形態における静止画撮影モードでの動作を示すフローチャートである。
【図１６】図１３に続くフローチャートである。
【図１７】ズーム設定処理を示すフローチャートである。
【図１８】本発明に係る動作内容を示す図である。
【図１９】光学ズームの特性を生かした撮影技法による遠近感が変化していく映像シーンの例を示した図である。
【図２０】同撮影技法を用いた撮影方法を示した図である。
【符号の説明】
【０１６９】
２    イメージセンサ
３    ＤＳＰ
１０    制御回路
１１    ＣＰＵ
２３ａ    表示メモリ（ＲＡＭ）
２４    ＬＣＤ
２５    画像メモリ媒体
３７    操作入力部
【図１】
2008022386.tif 000003
【図２】
2008022386.tif 000004
【図３】
2008022386.tif 000005
【図４】
2008022386.tif 000006
【図５】
2008022386.tif 000007
【図６】
2008022386.tif 000008
【図７】
2008022386.tif 000009
【図８】
2008022386.tif 000010
【図９】
2008022386.tif 000011
【図１０】
2008022386.tif 000012
【図１１】
2008022386.tif 000013
【図１２】
2008022386.tif 000014
【図１３】
2008022386.tif 000015
【図１４】
2008022386.tif 000016
【図１５】
2008022386.tif 000017
【図１６】
2008022386.tif 000018
【図１７】
2008022386.tif 000019
【図１８】
2008022386.tif 000020
【図１９】
2008022386.tif 000021
【図２０】
2008022386.tif 000022